(57)【要約】  静止部材と、静止部材に対して回転可能な回転可能部材と、静止部材と回転可能部材とを相互に接続し、潤滑流体によって分けられる作動面を有するハイドロベアリングとを含み、潤滑流体は、少なくとも１１０の粘度指数を有する少なくとも１つの合成エステルベース流体と、１０から５０００ｐｐｍの少なくとも１つの導電性誘導剤と、潤滑流体の全重量を基準として、０．０１重量％から５重量％の少なくとも１つの酸化防止剤と、潤滑流体の全重量を基準として、０．０１重量％から５重量％の少なくとも１つの耐摩耗添加剤とを含む、ディスクドライブスピンドルモータ。
2013501135.tif 000002
【特許請求の範囲】
【請求項１】
静止部材と、
前記静止部材に対して回転可能な回転可能部材と、
前記静止部材と前記回転可能部材とを相互に接続し、潤滑流体によって分けられる作動面を有するハイドロベアリングとを備え、前記潤滑流体は、
ａ）  少なくとも１１０の粘度指数を有する合成エステルベース流体と、
ｂ）  前記潤滑流体の全重量を基準として、１０から５０００重量ｐｐｍの少なくとも１つの導電性誘導剤と、
ｃ）  前記潤滑流体の全重量を基準として、０．０１重量％から５重量％の少なくとも１つの酸化防止剤と、
ｄ）  前記潤滑流体の全重量を基準として、０．０１重量％から５重量％の少なくとも１つの耐摩耗添加剤とを含む、スピンドルモータ。
【請求項２】
前記合成エステルベース流体は、
式Ｉ
【化１】
2013501135.tif 000006
（式中、Ｒ１およびＲ２は同一または異なって、各々は、直鎖Ｃ３−Ｃ１７アルキル基を示し、これは随意に、その鎖の第二炭素に結合したＣ１−Ｃ３アルキルを持ち、Ｚは直鎖Ｃ３−Ｃ１０アルキレン基であり、これは随意に、その鎖の炭素に結合したＣ１−Ｃ３アルキルを持つ）の化合物；
式Ｉａ
【化２】
2013501135.tif 000007
（式中、Ｒ１およびＲ２は同一または異なって、各々は、直鎖Ｃ３−Ｃ１７アルキル基を示し、これは随意に、その鎖の第二炭素に結合したＣ１−Ｃ３アルキルを持ち、Ｚは直鎖Ｃ３−Ｃ１０アルキレン基であり、これは随意に、その鎖の炭素に結合したＣ１−Ｃ３アルキルを持つ）の化合物；または
その組合せを含む、請求項１に記載のスピンドルモータ。
【請求項３】
前記少なくとも１つの導電性誘導剤は、
ａ．）  メタクリル酸ラウリルおよびメチルビニルピリジンのコポリマー中のジアルキルサリチル酸クロムとジデシルスルホコハク酸カルシウムとの混合物；
ｂ．）  Ｎ−タロウ−１，３−ジアミノプロパンおよびエピクロロヒドリン（３）のポリマー縮合体の（たとえば、芳香族溶媒中の）組成物；
ｃ．）  トルエン中の１−デセンポリスルホンおよび亜硝酸ジココジメチルアンモニウムの組成物；
ｄ．）  サリチル酸アルキル、スルホン酸塩、スクシンイミドおよび他の極性添加剤のコロイド溶液；
ｅ．）  オレイン酸マグネシウム、硝酸塩潤滑油のステアリン酸とのカルシウム塩、トルエン中のＣ１７−Ｃ２０合成脂肪酸のクロム塩の組成物、ステアリン酸クロム、クロム塩長鎖酸、オレイン酸クロム、リノール酸クロム、ナフテン酸コバルト、ナフテン酸銅、ナフテン酸ニッケル、ジエチルアミン、２−メチルピリジン、ピリジン、３−メチルピリジン、２−アミノ−５−ニトロピリジン、および２，６−ジニトロ−３−クロロピリジン；
ｆ．）  ステアリルアントラニル酸；
ｇ．）  長鎖有機酸または炭化水素の側鎖により可溶化させた導電性ポリアニリン誘導体；
ｈ．）  金属イオンを含有するフラーレン；および
ｉ．）  金属イオンから選択される、請求項１に記載のスピンドルモータ。
【請求項４】
前記導電性誘導剤はポリマー化合物を含む、請求項１に記載のスピンドルモータ。
【請求項５】
前記ポリマー化合物はポリアニリンを含む、請求項４に記載のスピンドルモータ。
【請求項６】
前記ポリマー化合物は、式Ｉ：
【化３】
2013501135.tif 000008
（式中、０＜ｘ／ｙ＜１であり、ＲａおよびＲｂは各々独立して水素または炭化水素基であり、Ｒｃは水素、炭化水素基、ハロゲン原子、または、酸素もしくは硫黄を介してフェニル環に結合された炭化水素基である）によって示される、請求項５に記載のスピンドルモータ。
【請求項７】
前記導電性誘導剤は、Ｒａ−ＳＯ３Ｈ（式中、Ｒａは水素または炭化水素基である）を含む、請求項１に記載のスピンドルモータ。
【請求項８】
前記導電性誘導剤は、フェニル環が随意に、１、２もしくは３つの同一もしくは異なる直鎖もしくは分枝鎖Ｃ６−Ｃ２０アルキル基を持つフェニルスルホン酸；直鎖もしくは分枝鎖ヘプチルフェニルスルホン酸；直鎖もしくは分枝鎖オクチルフェニルスルホン酸；直鎖もしくは分枝鎖ノニルフェニルスルホン酸；直鎖もしくは分枝鎖デシルフェニルスルホン酸；直鎖もしくは分枝鎖ウンデシルフェニルスルホン酸；直鎖もしくは分枝鎖ドデシルフェニルスルホン酸；直鎖もしくは分枝鎖トリデシルフェニルスルホン酸；直鎖もしくは分枝鎖テトラデシルフェニルスルホン酸；直鎖もしくは分枝鎖ペンタデシルフェニルスルホン酸；直鎖もしくは分枝鎖ヘキサデシルフェニルスルホン酸；直鎖もしくは分枝鎖ヘプタデシルフェニルスルホン酸；直鎖もしくは分枝鎖オクタデシルフェニルスルホン酸；直鎖もしくは分枝鎖ノナデシルフェニルスルホン酸；直鎖もしくは分枝鎖デカデシルフェニルスルホン酸；直鎖もしくは分枝鎖モノヘキシルナフチルスルホン酸またはジヘキシルナフチルスルホン酸；直鎖もしくは分枝鎖モノヘプチルナフチルスルホン酸またはジヘプチルナフチルスルホン酸；直鎖もしくは分枝鎖モノオクチルナフチルスルホン酸またはジオクチルナフチルスルホン酸；直鎖もしくは分枝鎖モノノニルナフチルスルホン酸またはジノニルナフチルスルホン酸；直鎖もしくは分枝鎖モノデシルナフチルスルホン酸またはジデシルナフチルスルホン酸；直鎖もしくは分枝鎖モノウンデシルナフチルスルホン酸またはジウンデシルナフチルスルホン酸；直鎖もしくは分枝鎖モノドデシルナフチルスルホン酸またはジドデシルナフチルスルホン酸；直鎖もしくは分枝鎖モノトリデシルナフチルスルホン酸またはジトリデシルナフチルスルホン酸；直鎖もしくは分枝鎖モノテトラデシルナフチルスルホン酸またはジテトラデシルナフチルスルホン酸；直鎖もしくは分枝鎖モノペンタデシルナフチルスルホン酸またはジペンタデシルナフチルスルホン酸；直鎖もしくは分枝鎖モノヘキサデシルナフチルスルホン酸またはジヘキサデシルナフチルスルホン酸；直鎖もしくは分枝鎖モノヘプタデシルナフチルスルホン酸またはジヘプタデシルナフチルスルホン酸；直鎖もしくは分枝鎖モノオクタデシルナフチルスルホン酸またはジオクタデシルナフチルスルホン酸；直鎖もしくは分枝鎖モノノナデシルナフチルスルホン酸またはジノナデシルナフチルスルホン酸；および直鎖もしくは分枝鎖モノデカデシルナフチルスルホン酸またはジデカデシルナフチルスルホン酸からなる群から選択される、請求項７に記載のスピンドルモータ。
【請求項９】
前記潤滑流体は、０℃で１５ｃｐから８０ｃｐの粘度を有する、請求項１に記載のスピンドルモータ。
【請求項１０】
前記潤滑流体は、少なくとも１つのアミン系酸化防止剤を含む、請求項１に記載のスピンドルモータ。
【請求項１１】
前記潤滑流体は、少なくとも１つのアミン系酸化防止剤および少なくとも１つのフェノール系酸化防止剤を含む、請求項１に記載のスピンドルモータ。
【請求項１２】
前記潤滑流体は、前記合成エステルベース流体の全重量を基準として、０．０１重量％から５重量％の少なくとも１つの粘度指数調整剤を含む、請求項１に記載のスピンドルモータ。
【請求項１３】
前記潤滑流体は、前記合成エステルベース流体の全重量を基準として、０．０１重量％から５重量％の少なくとも１つの流動点降下剤を含む、請求項１に記載のスピンドルモータ。
【請求項１４】
前記潤滑流体は、前記合成エステルベース流体の全重量を基準として、０．０１重量％から５重量％の少なくとも１つの消泡剤を含む、請求項１に記載のスピンドルモータ。
【請求項１５】
前記潤滑流体はさらに、ポリアルファオレフィンベース流体を含む、請求項１に記載のスピンドルモータ。
【請求項１６】
前記合成エステルベース流体は、３−メチル−１，５−ペンタンジオール ジ（ｎ−ヘキサノアート）、３−メチル−１，５−ペンタンジオール ジ（ｎ−ヘプタノアート）、３−メチル−１，５−ペンタンジオール ジ（ｎ−オクタノアート）、３−メチル−１，５−ペンタンジオール ジ（ｎ−ノナノアート）、および３−メチル−１，５−ペンタンジオール ジ（ｎ−デカノアート）、３−メチル−１，５−ペンタンジオール ジ（ｎ−ウンデカノアート）、３−メチル−１，５−ペンタンジオール ジ（ｎ−ドデカン酸）、および３−メチル−１，５−ペンタンジオール ジ（ｎ−トリデカノアート）、またはその組合せを含む、請求項１に記載のスピンドルモータ。
【請求項１７】
静止部材と、
前記静止部材に対して回転可能な回転可能部材と、
前記静止部材と前記回転可能部材とを相互に接続し、潤滑流体によって分けられる作動面を有するハイドロベアリングとを備え、前記潤滑流体は、
ａ）  少なくとも１１０の粘度指数を有する合成エステルベース流体と、
ｂ）  前記潤滑流体の全重量を基準として、１０から５０００重量ｐｐｍの１つ以上のアリールスルホン酸導電性誘導剤と、
ｃ）  前記潤滑流体の全重量を基準として、０．１重量％から５重量％の少なくとも１つのフェノール酸化防止剤、アミン酸化防止剤、またはフェノール酸化防止剤およびアミン酸化防止剤と、
ｄ）  前記潤滑流体の全重量を基準として、０．１重量％から５重量％の少なくとも１つの耐摩耗添加剤とを含む、スピンドルモータ。
【請求項１８】
前記潤滑流体は、前記少なくとも１つのアリールスルホン酸を５０から１０００ｐｐｍ含む、請求項１７に記載のスピンドルモータ。
【請求項１９】
前記少なくとも１つの導電性誘導剤は、ドデシルベンゼンスルホン酸を含む、請求項１７に記載のスピンドルモータ。
【請求項２０】
ａ）  少なくとも１１０の粘度指数を有する合成エステルベース流体と、
ｂ）  前記潤滑流体の全重量を基準として、５０から１０００重量ｐｐｍの１つ以上のアリールスルホン酸導電性誘導剤と、
ｃ）  前記潤滑流体の全重量を基準として、０．０１重量％から５重量％の少なくとも１つのフェノール酸化防止剤、アミン酸化防止剤、またはフェノール酸化防止剤およびアミン酸化防止剤と、
ｄ）  前記潤滑流体の全重量を基準として、０．０１重量％から５重量％の少なくとも１つの耐摩耗添加剤とを含む、潤滑流体。
【発明の詳細な説明】
【技術分野】
【０００１】
優先権
本願は、２００９年８月６日出願の「電荷移動能力を有する潤滑剤を備えるハイドロベアリングを有する流体動圧ディスクドライブスピンドルモータ」と題される米国仮特許出願番号第６１／２３１，８３３号の優先権を主張し、この出願の開示が、ここに引用により援用される。
【０００２】
概要
開示されるスピンドルモータは、中心軸と、静止部材と、静止部材に対して中心軸の周りで回転可能な回転可能部材と、静止部材と回転可能部材とを相互に接続し、潤滑流体によって分けられる作動面を有するハイドロベアリングとを含み、潤滑流体は、ａ）少なくとも１１０の粘度指数を有する少なくとも１つの合成エステルベース流体と、ｂ）１０から５０００ｐｐｍの少なくとも１つの導電性誘導剤と、ｃ）潤滑流体の全重量を基準として、０．０１重量％から５重量％の少なくとも１つの酸化防止剤と、ｄ）潤滑流体の全重量を基準として、０．０１重量％から５重量％の少なくとも１つの耐摩耗添加剤とを含有する。
【０００３】
スピンドルモータは、静止部材と、静止部材に対して回転可能な回転可能部材と、静止部材と回転可能部材とを相互に接続し、潤滑流体によって分けられる作動面を有するハイドロベアリングとを含み、潤滑流体は、少なくとも１１０の粘度指数を有する合成エステルベース流体と、潤滑流体の全重量を基準として、１０から５０００重量ｐｐｍの１つ以上のアリールスルホン酸導電性誘導剤と、潤滑流体の全重量を基準として、０．１重量％から５重量％の少なくとも１つのフェノール酸化防止剤、アミン酸化防止剤、またはフェノール酸化防止剤およびアミン酸化防止剤と、潤滑流体の全重量を基準として、０．１重量％から５重量％の少なくとも１つの耐摩耗添加剤とを含む。
【０００４】
さらに開示されるのは、少なくとも１１０の粘度指数を有する合成エステルベース流体と、潤滑流体の全重量を基準として、５０から１０００重量ｐｐｍの１つ以上のアリールスルホン酸導電性誘導剤と、潤滑流体の全重量を基準として、０．０１重量％から５重量％の少なくとも１つのフェノール酸化防止剤、アミン酸化防止剤、またはフェノール酸化防止剤およびアミン酸化防止剤と、潤滑流体の全重量を基準として、０．０１重量％から５重量％の少なくとも１つの耐摩耗添加剤とを含む、潤滑流体である。
【０００５】
これらおよびさまざまな他の特徴および利点は、次の詳細な説明を読むと明らかになるであろう
【発明の概要】
【課題を解決するための手段】
【０００６】
詳細な説明
以下の説明において、本願の一部を構成し、いくつかの特定の実施形態を例示的に示す、付随の図面一式を参照する。本開示の範囲または精神から逸脱することなく他の実施形態が企図され、行なわれ得ることが理解されるべきである。したがって、下記の詳細な説明は、限定的な意味で捉えられるべきではない。
【０００７】
特に指定のない限り、明細書および請求項で使用される特徴の寸法、量、および物性を表わす数字のすべては、如何なる場合においても、「約」という用語により変更されることが理解されるべきである。したがって、反対の指定がない限り、上記明細書および添付の請求項に記載される数値パラメータは、ここに開示される教示を利用して当業者が得ようとする所望の特性に依存して変わり得る概数である。
【０００８】
端点による数値範囲の記載は、その範囲に包摂されるすべての数（たとえば、１から５は、１、１．５、２、２．７５、３、３．８０、４、および５を含む）およびその範囲内の任意の範囲を含む。
【０００９】
本明細書および添付の請求項で使用される単数形「a」、「an」、および「the」は、その内容がそれ以外を明確に定めない限り、複数形の指示対象を有する実施形態を包含する。本明細書および添付の請求項で使用される「または」という用語は、その内容がそれ以外を明確に定めない限り、一般的に、「および／または」を含む意味で使用される。
【００１０】
「含む（Include）、」「含んでいる(including)、」または「備える(comprise)」もしくは「備えている(comprising)」などの類似の用語は、包含しているが限定されないこと、すなわち、含んでおり、排他的ではないことを意味する。
【００１１】
ここに使用される「合成エステル」という表現は、潤滑剤のベース流体（当該技術分野において、機能的流体または作動流体とも呼ばれる）において使用されるのが好適な如何なるエステル化合物も指す。
【００１２】
ここで用いられる「合成エステルベース流体」という表現は、潤滑流体を調製する際に使用される任意のおよびすべての合成エステルを総称的に指す。したがって、この表現は、潤滑流体の合成エステル成分が単一のエステルからなるか、または２つ以上の合成エステルの組合せからなるかに依存して、単一の合成エステル、または２つ以上の合成エステルの組合せを示し得る。
【００１３】
ここで用いられる「粘度指数」または「ＶＩ」という表現は、アメリカ自動車技術者協会（ＳＡＥ）により設定された温度に伴うベース流体の動粘度の変化を示す、人為的に作成された指数を指す。特に断りのない限り、基準用に選ばれる温度は、華氏（Ｆ）１００度（４０℃）および２１０°Ｆ（１００℃）である。
【００１４】
特に具体的に断りのない限り、「炭化水素」という表現は、直鎖または分岐鎖であってよく、さらに、１つ以上の環状基であるか、または１つ以上の環状基を含有してもよい、炭素および水素原子からなる部分を示す。一般的に、また、特に具体的に断りのない限り、炭化水素基は飽和であっても、部分的に不飽和であっても、または芳香族であってもよく、さらに、飽和であるか、部分的に不飽和であるか、または芳香族である副部分を含有してもよい。一般的に、また、特に具体的に断りのない限り、「アルキル」とも呼ばれる飽和直鎖炭化水素部分または副部分は、１から約２０個の炭素原子を有することができる一方、「アルキル」とも呼ばれる飽和および分岐鎖炭化水素部分または副部分、「シクロアルキル（cyclically）」および「シクロアルケニル」ともそれぞれ呼ばれる飽和環状炭化水素部分もしくは副部分または部分的に不飽和の環状炭化水素部分もしくは副部分、および、「アルケニル」または「アルキニル」とも呼ばれる部分的に不飽和の直鎖もしくは分岐鎖炭化水素部分または副部分は、約３個から約２０個の炭素原子を有することができる。一般的に、また特に具体的に断りのない限り、「アリール」とも呼ばれる芳香族炭化水素部分または副部分は、約６から約１８個、すなわち、６、１０、１４または１８個の炭素原子を有し得る。
【００１５】
本開示は、付随の図面に関連する本開示のさまざまな実施形態の次の詳細な説明を考慮して、より完全に理解され得る。
【図面の簡単な説明】
【００１６】
【図１】潤滑流体を有する流体動圧または流体静圧軸受スピンドルモータを備えるディスクドライブデータ記憶装置の上面図である。
【図２】流体動圧スピンドルモータの断面図である。
【図３】わかりやすさのために一部を除去した、図２の線３−３に沿う流体動圧スピンドルモータの概略断面図である。
【図４】比較用組成物および実施例１に開示されるような２つの組成物について、さまざまな温度での導電率を示すグラフである。
【図５】比較用組成物および実施例１に開示されるような組成物について、さまざまな温度での導電率を示すグラフである。
【図６】比較用組成物および実施例２に開示されるような組成物について、残留している油のパーセントを示すグラフである。
【発明を実施するための形態】
【００１７】
図は必ずしも縮尺通りではない。図中で使用される同一の番号は同一の部品を指す。しかし、所与の図中の部品を指すための番号の使用は、同じ番号を付した別の図中の該部品を限定することを意図するものではないことが理解されるであろう。
【００１８】
開示される潤滑流体組成物を含む流体動圧軸受または流体静圧軸受スピンドルモータは、ディスクドライブ用に好適となり得る。図１は、典型的なディスクドライブ１０の上面図である。ディスクドライブ１０は、ハウジングベース１２および上部カバー１４を含む。ハウジングベース１２は、上部カバー１４と合体して封止した環境を作り、内部部品を封止した環境の外部からの要素による汚染から保護する。
【００１９】
ディスクドライブ１０はさらに、ディスククランプ１８によってスピンドルモータ（図示せず）上に回転するように取付けたディスクパック１６を含む。ディスクパック１６は、中心軸の周りに共回転するように取付けられる複数の個々のディスクを含む。各ディスク面は、関連するヘッド２０を有し、これは、ディスク面と交信するためにディスクドライブ１０に取付けられる。図１に示す例では、ヘッド２０がフレキシャー２２によって支持され、フレキシャー２２は、アクチュエータ本体２６のヘッド取付けアーム２４に装着される。図１に示すアクチュエータは、回転可動コイルアクチュエータとして知られる種類のものであり、全体的に２８で示すボイスコイルモータ（ＶＣＭ）を含む。ボイスコイルモータ２８は、アクチュエータ本体２６を、それに装着したヘッド２０と共にピボット軸３０の周りに回転させ、ヘッド２０を弧状経路３１に沿った所望のデータトラックの上に位置付ける。回転アクチュエータを図１に示したが、スピンドルモータは、リニアアクチュエータなど、他の種類のアクチュエータを有するディスクドライブにも有用である。
【００２０】
図２は、動圧軸受スピンドルモータ３２の断面図である。スピンドルモータ３２は、静止部材３４、ハブ３６およびステータ３８を含む。図２に示す実施形態において、静止部材は、ナット４０および座金４２を通してベース１２に固定し装着した軸である。ハブ３６は、軸３４の周りで回転するように、動圧軸受３７を通して軸３４と相互接続されている。軸受３７は、径方向作動面４４および４６、ならびに軸方向作動面４８および５０を含む。軸３４は、潤滑流体６０を供給し、流体を軸受の作動面に沿って循環させる助けをする流体口５４、５６および５８を含む。潤滑流体６０は、公知の方法によって軸３４の内部と結合された流体源（図示せず）により、軸３４へ供給される。
【００２１】
スピンドルモータ３２はさらに、動圧軸受３７の軸方向作動面４８および５０を形成する、スラスト軸受４５を含む。カウンタプレート６２が作動面４８を支えて、動圧軸受に軸方向安定性を与え、かつハブ３６をスピンドルモータ３２内に位置付ける。Ｏ−リング６４がカウンタプレート６２とハブ３６との間に設けられ、動圧軸受を封止する。該シールは、動圧流体６０がカウンタプレート６２とハブ３６との間からもれるのを防ぐ。
【００２２】
ハブ３６は、中心コア６５およびディスクキャリア部材６６を含み、ディスクキャリア部材６６は、ディスクパック１６（図１に示す）を軸３４の周りで回転するように支持する。ディスクパック１６は、ディスククランプ１８（やはり図１に示す）によってディスクキャリア部材６６上に保持される。永久磁石７０が、スピンドルモータ３２用のロータとして作用するハブ３６の外径に装着される。コア６５は、磁性材料で形成され、磁石７０の背鉄として作用する。ロータ磁石７０は、一体型の環状リングとして形成することができ、またはハブ３６の周囲に離間した複数の個々の磁石で形成することができる。ロータ磁石７０は、磁化されて１つ以上の磁極を形成する。
【００２３】
ステータ３８は、ベース１２に装着され、ステータ積層体７２およびステータ巻線７４を含む。ステータ巻線７４は、積層体７２に装着されている。ステータ巻線７４は、ロータ磁石７０から径方向に離間して、ロータ磁石７０およびハブ３６が中心軸８０の周りに回転できるようにする。ステータ３８は、ボルト７８を通してベースに固着した１つ以上のＣ形クランプ７６のような公知の方法により、ベース１２に取付けられている。
【００２４】
ステータ巻線７４に加えるコミュテーションパルスが回転磁界を発生し、それがロータ磁石７０と交信して、ハブ３６を軸受３７の中心軸８０の周りで回転させる。コミュテーションパルスは、タイミング調整され、分極選択した直流パルスであり、逐次に選択されるステータ巻線に向けられて、ロータ磁石を駆動し、その速度を制御する。
【００２５】
図２に示す実施形態では、スピンドルモータ３２は、ステータ３８がハブ３６の下方に軸方向位置を有する「ハブ下（below-hub）」型モータである。ステータ３８は、ハブ３６の外部にある径方向位置も有するため、ステータ巻線７４が積層体７２の内径面８２（図３）に固着される。代替的な実施形態では、ステータが、ハブの下方に対して、ハブ内に位置する。ステータは、ハブの内部または外部のいずれかにある径方向位置を有し得る。さらに、スピンドルモータは図２に示すような固定された軸を有することもできるが、回転軸を有することもできる。回転軸スピンドルモータでは、軸受は、回転軸と、回転軸と同軸である外側静止スリーブとの間に位置する。
【００２６】
図３は、分かりやすさのために一部を除去した、図２の線３−３に沿う動圧スピンドルモータ３２の概略断面図である。ステータ３８は、ロータ磁石７０および中心コア６５と同軸である、積層体７２およびステータ巻線７４を含む。ステータ巻線７４は、積層体７２の歯の周りに巻いた相巻線Ｗ１、Ｖ１、Ｕ１、Ｗ２、Ｖ２およびＵ２を含む。相巻線は、中心軸８０と直角を成し、それと交差するコイル軸を有するコイルで形成されている。たとえば、相巻線Ｗ１は、中心軸８０と直角を成すコイル軸８３を有する。動圧軸受３７の径方向作動面４４および４６は、軸３４の外径面および中心コア６５の内径面により形成される。径方向作動面４４および４６は、通常動作中に隙間ｃを維持する潤滑流体６０によって分けられている。
【００２７】
合成エステルベース流体
潤滑流体の文脈での好適な合成エステルベース流体は、原則的に、潤滑目的用の基油として好適なエステルすべてを含む。合成エステルベース流体は、単一の合成エステルまたは、同一もしくは異なる種類の２つ以上の合成エステルの組合せを含んでもよい。
【００２８】
実施形態においては、好適な合成エステルベース流体は、モノアルコールとモノカルボン酸とのエステル；ジエステルおよびポリエステル、たとえば、ジオールまたはポリオールと同一または異なるモノカルボン酸とのエステルなど；同一または異なるモノアルコールと同一または異なる二塩基性または多塩基性カルボン酸とのジエステルおよびポリエステル；ならびに、同一または異なるジオールまたはポリオールと同一または異なる二塩基性または多塩基性カルボン酸とのポリエステルを含むことができる。
【００２９】
実施形態においては、ベース流体は少なくとも１１０の粘度指数を示し得る。実施形態においては、高ＶＩを有する合成エステルベース流体を利用することができる。たとえば、ジカルボン酸のジエステルおよびポリオールエステル（dieters of dicarboxylic acids and polyol esters）については、ＶＩは典型的には、それぞれ約１１５または１２０から２００までの範囲である。
【００３０】
エステルが、モノアルコールに由来する１つ以上の部分を含む実施形態においては、モノアルコールは、［たとえば、式（ＣｎＨ２ｎ＋１）ＯＨの］飽和脂肪族アルコールであり得る。実施形態において、このようなアルコールは約３から約２０個の炭素原子を有し得る。該アルコールの炭化水素部分は飽和であり得、直鎖または分枝鎖であってよい。アルコールは、１つ以上の飽和脂環式部分を形成するか、または含むことができる。模範的な飽和脂肪族アルコールは、１−プロパノール、１−ブタノール、１−ペンタノール、１−ヘキサノール、１−ヘプタノール、１−オクタノール（カプリルアルコール）、１−ノナノール（ペラルゴン酸アルコール）、１−デカノール（カプリン酸アルコール）、１−ウンデカノール、１−ドデカノール（1-dadecanol）（ラウリルアルコール）、１−トリデカノール、１−テトラデカノール（ミリスチルアルコール）、１−ペンタデカノール、１−ヘキサデカノール（セチルアルコール）、１−ヘプタデカノールなどを含み、さらに、これらの分枝鎖異性体であって、水酸基が２位もしくは３位にあるもの、ならびに／または、炭化水素鎖が１もしくは２つのメチルおよび／もしくはエチル分枝を持つもの、を含むことができる。このような分枝鎖脂肪族アルコールの例示的な具体例は、末端にＣＨ（ＣＨ３）２部分を有するイソ型およびＣ−Ｃ（ＣＨ３）２−Ｃ部分を含有するネオ型を含む。また、好適なモノアルコールとして、式Ｒ−Ｏ−（Ｚ１−Ｏ−）ｘＨにより示すことができ、式中、
Ｒは、直鎖、分枝鎖または脂環式であり、脂環式セグメントまたは置換基を含んでもよい炭化水素を指し、
ｘは、たとえば、１から５の整数であり、
Ｚ１は、同一または異なるＣ２−Ｃ４アルキレン基、たとえば、１，２−エチレン、１，２−プロピレン、１，３−プロピレン、１，２−ブチレン、２，３−ブチレン、１，３−ブチレン、１，４−ブチレンなどを示す、
ポリオキシアルキレンエーテルなどもある。さらに、（Ｚ１−Ｏ）ｘ基は、１または２つの酸素および３、４、または５つの炭素環員子によって形成される、５員環または６員環を示してもよい。モノアルコールに由来する１を超える部分を含有するエステルの場合、それぞれのアルコール部分は、同一または異なってもよい。
【００３１】
エステルが、ジオールおよびポリオールに由来する１つ以上の部分を含む場合、実施形態において、ジオールまたはポリオールが、特に、約３から約２０個の炭素原子を有する、飽和脂肪族アルコール［たとえば、式（ＣｎＨ２ｎ−ｘ）（Ｃ（＝Ｏ）ＯＨ）２＋ｘで表わされ、ジオールの場合、ｘは０、ポリオールの場合、ｘは≧１であり、たとえば、１、２または３など］である、合成エステルを利用できる。実施形態において、ジオールおよびポリオールの水酸基は、同じ炭素原子に結合していない。ジオールおよびポリオールは、直鎖または分枝鎖であってよく、１つ以上の飽和脂環式基を形成するか、または含んでもよい。飽和脂肪族ジオールの例示的な例は、１，３−プロピレングリコール、１，４−ブチレングリコール、１，５−ペンチレングリコール、１，６−ヘキシレングリコール、１，７−ヘプチレングリコール、１，８−オクチレングリコール、１，９−ノニレングリコール、１，１０−デシレングリコール、１，１１−ウンデシレングリコール、１，１２−ドデシレングリコール、１，１３−トリデシレングリコール、１，１４−テトラデシレングリコール、１，１５−ペンタデシレングリコール、１，１６−ヘキサデシレングリコール、１，１７−ヘプタデシレングリコールなどを含み、さらに、これらの分枝鎖異性体であって、水酸基の一方もしくは両方がアルキレン鎖の非末端炭素原子に結合しているもの、ならびに／または、アルキレン鎖がアルキレン鎖に沿う任意の位置に結合している１もしくは２つのメチルおよび／もしくはエチル分枝を持つもの、を含むことができる。また、好適なジオールとして、式Ｈ−Ｏ−（Ｚ１−Ｏ−）ｘＨ（式中、ｘは、たとえば１から５の整数であり、Ｚ１は、同一または異なるＣ２−Ｃ４アルキレン基、たとえば、１，２−エチレン、１，２−プロピレン、１，３−プロピレン、１，２−ブチレン、２，３−ブチレン、１，３−ブチレン、１，４−ブチレンなどを示す）で表わされるようなポリオキシアルキレングリコールなどもある。さらに、（Ｚ１−Ｏ）ｘ基は、１または２つの酸素および３、４または５つの炭素環員子によって形成される５員環または６員環を示してもよい。飽和脂肪族ポリオールの例示的な例は、たとえば、グリセリン、トリメチロールプロパンおよびペンタエリスリトールを含む。ジオールまたはポリオールに由来する１つより多い部分を含むエステルの場合、それぞれの部分は、同一または異なってもよい。
【００３２】
エステルが、モノカルボン酸に由来する１つ以上の部分を含有する場合、実施形態は、モノカルボン酸が、特に、約３から約２０個の炭素原子を有する酸である、［たとえば、式（ＣｎＨ２＋１ｃ）Ｃ（＝Ｏ）ＯＨの］飽和脂肪酸である、好ましい合成エステルを利用できる。このような酸の炭化水素部分は、飽和であり得、直鎖または分枝鎖であってよく、１つ以上の飽和脂環式基を形成するか、または含んでもよい。飽和脂肪酸の代表例は、プロパン酸、ブタン酸、ペンタン酸（吉草酸）、ヘキサン酸（カプロン酸）、ヘプタン酸（エナント酸）、オクタン酸（カプリル酸）、ノナン酸（ペラルゴン酸アルコール）、デカン酸（カプリン酸）、１−ウンデカン酸、ドデカン酸（ラウリン酸）、トリデカン酸、テトラデカン酸（ミリスチン酸）、ペンタデカン酸、ヘキサデカン酸（パルミチン酸）、ヘプタデカン酸、オクタデカン酸（ステアリン酸）およびエイコサン酸（アラキン酸）、さらに、これらの分枝鎖異性体であって、カルボキシル基が２位もしくは３位にあるもの、ならびに／または、炭化水素鎖部分が１もしくは２つのメチルおよび／もしくはエチル分枝を持つもの、を含む。このような分枝鎖脂肪族カルボン酸の例示的な代表例は、末端にＣＨ（ＣＨ３）２部分を有するイソ型およびＣ−Ｃ（ＣＨ３）２−Ｃ部分を含むネオ型を含む。モノカルボン酸に由来する１つより多い部分を含むエステルの場合、それぞれの酸部分は、同一または異なってもよい。
【００３３】
エステルが、ジカルボン酸またはポリカルボン酸に由来する１つ以上の部分を含有する場合、実施形態は、ジカルボン酸またはポリカルボン酸が、たとえば約３から約２０個の炭素原子を有する、飽和脂肪酸［たとえば、式（ＣｎＨ２ｎ−ｘ）（Ｃ（＝Ｏ）ＯＨ）２＋ｘで表わされ、ジカルボン酸の場合、ｘは０、ポリカルボン酸の場合、ｘは≧１であり、たとえば、１または２など］である、合成エステルを利用できる。ジカルボン酸およびポリカルボン酸は、直鎖または分枝鎖炭化水素部分を有してもよく、飽和脂環式部分を形成するか、または含んでもよい。飽和脂肪族ジカルボン酸の例示的な例は、１，３−プロパン二酸（マロン酸）、１，４−ブタン二酸（コハク酸）、１，５−ペンタン二酸（グルタル酸）、１，６−ヘキサン二酸（アジピン酸）、１，７−ヘプタン二酸（ピメリン酸）、１，８−オクタン二酸（スベリン酸）、１，９−ノナン二酸（アゼライン酸）、１，１０−デカン二酸（1, 10-d canedioic acid）（セバシン酸）、１，１１−ウンデカン二酸、１，１２−ドデカン二酸、１，１３−トリデカン二酸、１，１４−テトラデカン二酸、１，１５−ペンタデカン二酸、１，１６−ヘキサデカン二酸、１，１７−ヘプタデカン二酸など、さらに、これらの分枝鎖異性体であって、カルボキシル基の一方もしくは両方がアルキレン鎖の非末端炭素原子に結合しているもの、ならびに／または、アルキレン鎖がアルキレン鎖に沿う任意の位置に結合している１もしくは２つのメチルおよび／もしくはエチル分枝を持つもの、を含む。飽和脂肪族ポリカルボン酸の例示的な例は、たとえば、オキサマロン酸、カルバリル酸などを含む。ジカルボン酸またはポリカルボン酸に由来する１つより多い部分を含むエステルの場合、それぞれの部分は、同一または異なってもよい。
【００３４】
実施形態において、合成エステルベース流体は、ジカルボン酸のジエステルおよびジオールのフルエステルの群から選択される少なくとも１つの合成エステルを含む。
【００３５】
実施形態において、合成エステルベース流体は、式（Ｉ）
【００３６】
【化１】
2013501135.tif 000003
【００３７】
（式中、Ｒ１およびＲ２は同一または異なって、各々は、直鎖Ｃ３−Ｃ１７アルキル基を示し、これは随意に、その鎖の第二炭素に結合したＣ１−Ｃ３アルキル分枝を持ち、Ｚは直鎖Ｃ３−Ｃ１０アルキレン基であり、これは随意に、その鎖の炭素に結合したＣ１−Ｃ３アルキルを持つ）の１つ以上のエステルを含むことができる。
【００３８】
実施形態において、式（Ｉ）のエステルは、分枝の炭素原子を一切含まずに、Ｒ１およびＲ２の最長直鎖アルキル部分に存在する炭素原子をすべて、また、Ｚの直鎖アルキレン部分の炭素原子をすべて数えたとき、合計で約１５から約３５個、約１５から約３３個、約１８から約３０個、または約１８から約２８個の炭素原子を含むことができる。Ｚ部分を視野に入れると、これは、式−（ＣＨ２）２−ＣＨ（ＣＨ３）−（ＣＨ２）２−によって表わされる部分は５個の炭素原子を付与し、式−ＣＨ２−ＣＨ（ＣＨ２ＣＨ３）−ＣＨ２−によって表わされる部分は３個の炭素原子に相当することを意味する。したがって、ほんの一例であるが、Ｒ１およびＲ２の各々がｎ−ヘプチル基であり、Ｚが１，５−ペンチレン基である化合物（Ｉ）は、その直鎖部分に合計で（７＋７＋５）、１９個の炭素原子を含有し、Ｒ１およびＲ２の各々が２−オクタニル基（すなわち、Ｈ３Ｃ−（ＣＨ２）５−ＣＨ（ＣＨ３）−）であり、Ｚが３−メチル−１，５−ペンチレン基（すなわち、−（ＣＨ２）２−ＣＨ（ＣＨ３）−（ＣＨ２）２−）である化合物（Ｉ）も、その直鎖部分に合計で（７＋７＋５）、１９個の炭素原子を含有する。
【００３９】
実施形態において、Ｒ１およびＲ２の各々は、約６から約１４個の炭素原子を有する直鎖炭化水素部分を含み、直鎖炭化水素部分は随意に、メチル、エチル、プロピルまたはイソプロピル分枝を持ち、該分枝は、Ｒ１基またはＲ２基の最長直鎖炭化水素が約１４個の炭素原子を超えないように配置される。
【００４０】
さらなる特定の実施形態においては、Ｒ１およびＲ２の各々は、約６から約１４個の炭素原子を有する直鎖炭化水素部分を含み、直鎖炭化水素部分は随意に、メチルまたはエチル分枝を持ち、該分枝は、Ｒ１またはＲの最長直鎖炭化水素が約１４個の炭素原子を超えないように配置される。
【００４１】
実施形態において、Ｒ１、Ｒ２およびＺに存在する分枝すべての合計は、０、１または２である。この実施形態に従うと、Ｚが２つの分枝を有する部分を示すと、Ｒ１およびＲ２の各々は直鎖炭化水素基を示す。それに応じて、Ｚが１つの分枝を有する部分を示すと、Ｒ−およびＲ２の炭化水素の一方が１つの分枝を持ってもよく、またはＲ１およびＲ２の各々が直鎖炭化水素基を示す。同様に、Ｚが分枝を有しない部分を示すと、Ｒ１およびＲ２の炭化水素の一方が２つの分枝を持ってもよく、またはＲ１およびＲ２の炭化水素の一方もしくは両方が１つの分枝を持ってもよく、またはＲ１およびＲ２の各々が直鎖炭化水素基を示す。実施形態において、Ｚ部分は０または１つの分枝を持つ。実施形態において、Ｒ１およびＲ２の各々は、約６から約１４個の炭素原子を有する直鎖炭化水素部分からなる。実施形態において、式（Ｉ）のエステルのＲ１およびＲ２は同一であり得る。実施形態において、合成エステルベース流体は、Ｒ１およびＲ２が互いから独立してｎ−Ｃ６−Ｃ１２アルキルであり、Ｚがネオペンチレン（−ＣＨ２−Ｃ（ＣＨ３）２−ＣＨ２−）、１，５−ペンチレン（−（ＣＨ２）５−）または３−メチル−１，５−ペンチレン（−（ＣＨ２）２−ＣＨ（ＣＨ３）−（ＣＨ２）２−）である、式（Ｉ）の少なくとも１つのエステルを含む。実施形態において、合成エステルベース流体は、少なくとも２つの異なる合成エステルを含む。実施形態において、合成エステルベース流体は、少なくとも２つの異なる合成エステルを含み、合成エステルの少なくとも１つは式（Ｉ）のものである。実施形態において、合成エステルベース流体は、３−メチル−１，５−ペンタンジオール ジ（ｎ−ヘキサノアート）、３−メチル−１，５−ペンタンジオール ジ（ｎ−ヘプタノアート）、３−メチル−１，５−ペンタンジオール ジ（ｎ−オクタノアート）、３−メチル−１，５−ペンタンジオール ジ（ｎ−ノナノアート）、および３−メチル−１，５−ペンタンジオール ジ（ｎ−デアコナート）、３−メチル−１，５−ペンタンジオール ジ（ｎ−ウンデカノアート）、３−メチル−１，５−ペンタンジオール ジ（ｎ−ドデカン酸）、および３−メチル−１，５−ペンタンジオール ジ（ｎ−トリデカノアート）、ならびにその組合せを含む。
【００４２】
実施形態において、合成エステルベース流体は、３−メチル−１，５−ペンタンジオール、ｎ−ヘキサン酸および（arid）、ｎ−ヘプタン酸から調製されるジエステルの混合物；３−メチル−１，５−ペンタンジオール（3-methyl-1,5-pentanedial）、ｎ−ヘキサン酸およびｎ−オクタン酸から調製されるジエステルの混合物；３−メチル−１，５−ペンタンジオール、ｎ−ヘキサン酸およびｎ−ノナン酸から調製されるジエステルの混合物；３−メチル−１，５−ペンタンジオール、ｎ−ヘキサン酸およびｎ−デカン酸から調製されるジエステルの混合物；３−メチル−１，５−ペンタンジオール、ｎ−ヘプタン酸およびｎ−オクタン酸から調製されるジエステルの混合物；３−メチル−１，５−ペンタンジオール、ｎ−ヘプタン酸およびｎ−ノナン酸から調製されるジエステルの混合物；３−メチル−１，５−ペンタンジオール、ｎ−ヘプタン酸およびｎ−デカン酸から調製されるジエステルの混合物；３−メチル−１，５−ペンタンジオール、ｎ−オクタン酸およびｎ−ノナン酸から調製されるジエステルの混合物；ならびに３−メチル−１，５−ペンタンジオール、ｎ−オクタン酸およびｎ−デカン酸から調製されるジエステルの混合物；またはこれらの合成エステル混合物の２つ以上の組合せからなる群から選択される少なくとも１つの合成エステルを含む。
【００４３】
実施形態において、合成エステルベース流体は、式（Ｉａ）
【００４４】
【化２】
2013501135.tif 000004
【００４５】
（式中、Ｒ１およびＲ２は同一または異なって、各々は、直鎖Ｃ３−Ｃ１７アルキル基を示し、これは随意に、その鎖の第二炭素に結合したＣ１−Ｃ３アルキル分枝を持ち、Ｚは直鎖Ｃ３−Ｃ１０アルキレン基であり、これは随意に、その鎖の炭素に結合したＣ１−Ｃ３アルキル分枝を持つ）の１つ以上のエステルを含むことができる。式Ｉａの化合物は、より具体的には、上述の式Ｉの化合物と同じ特徴を有することができる。
【００４６】
実施形態において、合成エステルベース流体は、式（Ｉ）または（Ｉａ）のエステル；上記のような直鎖Ｃ５−Ｃ１２ジカルボン酸の（直鎖または分枝鎖）Ｃ６−Ｃ１３アルコールとのエステル、たとえば、セバシン酸ジオクチル（たとえば、セバシン酸２−エチルヘキシル）、アジピン酸ジオクチル、アゼライン酸ジオクチルなど；上記のような直鎖Ｃ５−Ｃ１２モノカルボン酸のＣ６−Ｃ１３ジアルコール（直鎖または分枝鎖のいずれか）とのエステル（たとえば、３−メチル１，５−ペンタンジオールジヘキサノアートまたは３−メチル１，５−ペンタンジオールジノナノアート）；トリメチロールプロパンのエステル；およびネオペンチルグリコールのエステルからなる群から選択される少なくとも１つの合成エステルを含む。
【００４７】
導電性誘導剤
開示された潤滑組成物は、少なくとも１つの導電性誘導剤も含む。導電性誘導剤は、帯電防止剤とも呼ぶことができる。導電性誘導剤は、導電性誘導特性、帯電防止特性、またはその両方を有することができる。導電性誘導剤は、潤滑流体に導電性を誘導することができるか、または静電荷の蓄積を防止することができるすべての非金属性化合物を含むことができる。本明細書中で用いる非金属性とは、その微粒子性質により、スピンドルモータの正常な機能に干渉する可能性のある金属および金属粒子をすべて除外することを意図する。しかし、金属を、たとえばイオンの形態または錯体化された形態で含有する化合物は、非金属性として理解される。
【００４８】
実施形態において、導電性誘導剤を含む潤滑流体は、導電性でありながら高温で分解しない潤滑流体を与えることができる。実施形態において、開示される潤滑流体は、５０℃以上の温度に耐えることができる。実施形態において、開示される潤滑流体は、１００℃以上の温度に耐えることができる。実施形態において、開示される潤滑流体は、１２０℃Ｃ以上の温度に耐えることができる。実施形態において、開示される潤滑流体は、１５０℃以上の温度に耐えることができる。このような潤滑流体は、高温で分解する可能性のある他の潤滑流体を上回る利点を有する。高温での潤滑流体の分解は、特定の添加剤を含まない潤滑流体と比べたときの、所与の温度で次第に蒸発する潤滑流体の蒸発速度または蒸発量の変化によって示すことができる。
【００４９】
導電性誘導剤は、たとえば、以下に記載するような化合物および組成物を含むことができる。ａ．）メタクリル酸ラウリルおよびメチルビニルピリジンのコポリマー中のジアルキルサリチル酸クロムとジデシルスルホコハク酸カルシウムとの混合物が利用できる。具体例は、ＡＳＡ−３（ロイヤル リューブリカンツ カンパニー（Royal Lubricants Company, Inc.）、ニュージャージー州、イーストハノーバー）を含む。このような混合物の主な解離成分はジアルキルサリチル酸クロムであり、これは、ジデシルスルホコハク酸カルシウムによって安定化させることができる。ｂ．）Ｎ−タロウ−１，３−ジアミノプロパンおよびエピクロロヒドリン（３）のポリマー縮合体の（たとえば、芳香族溶媒中の）組成物。具体例は、Ｐｏｌｙｆｌｏｅ １３０を含む；ｃ．）トルエン中の１−デセンポリスルホンおよび亜硝酸ジココジメチルアンモニウムの組成物；ｄ．）サリチル酸アルキル、スルホン酸塩、スクシンイミドおよび他の極性添加剤のコロイド溶液；ｅ．）オレイン酸マグネシウム、硝酸塩潤滑油のステアリン酸とのカルシウム塩、トルエン中のＣ１７−Ｃ２０合成脂肪酸のクロム塩の組成物、ステアリン酸クロム、クロム塩長鎖酸、オレイン酸クロム、リノール酸クロム、ナフテン酸コバルト、ナフテン酸銅、ナフテン酸ニッケル、ジエチルアミン、２−メチルピリジン、ピリジン、３−メチルピリジン、２−アミノ−５−ニトロピリジン、および２，６−ジニトロ−３−クロロピリジン；ｆ．）たとえば、Ｓｉｇｂｏｌ、ＡＳＰ−１、またはＫｅｒｏｓｔａｔとして商業的に入手することができる、ステアリルアントラニル酸；ｇ．）長鎖有機酸または炭化水素の側鎖により可溶化させた導電性ポリアニリン誘導体；およびｈ．）金属イオンを含有するフラーレン（Ｃ６０＋ｎＭ、式中、ｎは０、１などであり、ＭはＬａである）、または電子移動の可能な任意の金属イオン。
【００５０】
実施形態において、導電性誘導剤は少なくとも１つのポリマー化合物を含むことができる。実施形態において、導電性誘導剤は、窒素（Ｎ）を含有する少なくとも１つのポリマー化合物を含むことができる。実施形態において、導電性誘導剤は少なくとも１つのポリアニリンを含むことができる。実施形態において、導電性誘導剤は、式Ｉ：
【００５１】
【化３】
2013501135.tif 000005
【００５２】
（式中、０＜ｘ／ｙ＜１であり、Ｒａ、Ｒｂ、およびＲｃは各々独立して水素または炭化水素基である）によって表わされるポリマー単位を含有する、少なくとも１つのポリアニリンを含むことができる。さらに、Ｒｃは、１つ以上のハロゲン原子または、酸素もしくは硫黄を介してフェニル環に結合された炭化水素基を示し得、たとえば、アルコキシ、アルキルチオなどであり得、環状で、随意に芳香族基であり得る。
【００５３】
式Ｉのポリマーを含有するポリアニリン中の炭化水素基の性質は、ポリマーの親油性が、潤滑流体と混合されるのに十分であるようなものとすることができる。実施形態において、ポリマーは潤滑流体に溶解できる。したがって、炭化水素置換基の各々は、具体的に以下のうち１つを表わしてもよい。ａ．）１つ以上のハロゲン、（たとえば、１つ以上のハロゲン、アルキル、（モノもしくはポリ）シクロアルキル、またはアリールによって）置換することができる（モノもしくはポリ）シクロアルキルまたはアリール基によって随意に置換することができる、直鎖または分枝鎖アルキル；ｂ．）（モノもしくはポリ）シクロアルキル、すなわち、単環または多環であってよく、１つ以上のハロゲン、アルキル、（モノもしくはポリ）シクロアルキル、またはアリール基によって随意に置換することができるシクロアルキル。ここで、各アルキル基は、たとえば、１つ以上のハロゲン、シクロアルキル、またはアリール基によって置換されてもよく、環状基の各々は、たとえば、１つ以上のハロゲン、アルキル、（モノもしくはポリ）シクロアルキル、またはアリールによって置換されてもよい；ｃ．）１つ以上のハロゲン、アルキル、（モノもしくはポリ）シクロアルキル、またはアリール基によって随意に置換される、フェニル、ナフチルおよびアントラセニルなどの、単環または多環であってよい、アリール。ここで、各アルキル基は、１つ以上のハロゲン、（モノもしくはポリ）シクロアルキル、またはアリール基によって置換されてもよく、環状基の各々は、たとえば、１つ以上のハロゲン、アルキル、（モノもしくはポリ）シクロアルキル、およびアリールによって置換されてもよい。
【００５４】
実施形態において、導電性誘導剤は、少なくとも１つのスルホン酸Ｒａ−ＳＯ３Ｈ、またはその塩を含むことができ、式中、Ｒａは上に定義された通りである。好適なスルホン酸は、潤滑流体に導電性を伝えることができるか、または静電荷の蓄積を低減することができる、すべてのスルホン酸およびその塩を含むことができる。一般的に、炭化水素基は少なくとも６個、少なくとも８個、または少なくとも１０個の炭素原子を有する。実施形態において、スルホン酸のＲａはアリール基であり得るか、または、少なくとも１つのアリール基を含むことができる。このようなアリール基は、６から１４個の炭素原子を有し得る。たとえば、フェニル、ナフチル、アントラセニルなど。スルホン酸部分は、アリール炭素原子の１つに直接結合するか、メチレン（−ＣＨ２−）ブリッジを介してアリール炭素に連結することができる。さらに、アリール基は、１から３つのハロゲンまたは炭化水素置換基を持っていてもよい。実施形態において、アリールスルホン酸はＣ６−Ｃ２０アルキル−Ｃ６−Ｃ１４アリールスルホン酸であり得、これは随意に、さらにハロゲンによって置換することができる。
【００５５】
このようなアリールスルホン酸の例示的な具体例は、たとえば、フェニル環が随意に、１、２、もしくは３つの同一もしくは異なる直鎖もしくは分枝鎖Ｃ６−Ｃ２０アルキル基を持つフェニルスルホン酸、たとえば、直鎖もしくは分枝鎖ヘキシルフェニルスルホン酸；直鎖もしくは分枝鎖ヘプチルフェニルスルホン酸；直鎖もしくは分枝鎖オクチルフェニルスルホン酸；直鎖もしくは分枝鎖ノニルフェニルスルホン酸；直鎖もしくは分枝鎖デシルフェニルスルホン酸；直鎖もしくは分枝鎖ウンデシルフェニルスルホン酸；直鎖もしくは分枝鎖ドデシルフェニルスルホン酸（もしくはドデシルベンゼンスルホン酸）；直鎖もしくは分枝鎖トリデシルフェニルスルホン酸；直鎖もしくは分枝鎖テトラデシルフェニルスルホン酸；直鎖もしくは分枝鎖ペンタデシルフェニルスルホン酸；直鎖もしくは分枝鎖ヘキサデシルフェニルスルホン酸；直鎖もしくは分枝鎖ヘプタデシルフェニルスルホン酸；直鎖もしくは分枝鎖オクタデシルフェニルスルホン酸；直鎖もしくは分枝鎖ノナデシルフェニルスルホン酸；直鎖もしくは分枝鎖デカデシルフェニルスルホン酸；直鎖もしくは分枝鎖モノヘキシルナフチルスルホン酸もしくはジヘキシルナフチルスルホン酸；直鎖もしくは分枝鎖モノヘプチルナフチルスルホン酸もしくはジヘプチルナフチルスルホン酸；直鎖もしくは分枝鎖モノオクチルナフチルスルホン酸もしくはジオクチルナフチルスルホン酸；直鎖もしくは分枝鎖モノノニルナフチルスルホン酸もしくはジノニルナフチルスルホン酸；直鎖もしくは分枝鎖モノデシルナフチルスルホン酸もしくはジデシルナフチルスルホン酸；直鎖もしくは分枝鎖モノウンデシルナフチルスルホン酸もしくはジウンデシルナフチルスルホン酸；直鎖もしくは分枝鎖モノドデシルナフチルスルホン酸もしくはジドデシルナフチルスルホン酸；直鎖もしくは分枝鎖モノトリデシルナフチルスルホン酸もしくはジトリデシルナフチルスルホン酸；直鎖もしくは分枝鎖モノテトラデシルナフチルスルホン酸もしくはジテトラデシルナフチルスルホン酸；直鎖もしくは分枝鎖モノペンタデシルナフチルスルホン酸もしくはジペンタデシルナフチルスルホン酸；直鎖もしくは分枝鎖モノヘキサデシルナフチルスルホン酸もしくはジヘキサデシルナフチルスルホン酸；直鎖もしくは分枝鎖モノヘプタデシルナフチルスルホン酸もしくはジヘプタデシルナフチルスルホン酸；直鎖もしくは分枝鎖モノオクタデシルナフチルスルホン酸もしくはジオクタデシルナフチルスルホン酸；直鎖もしくは分枝鎖モノノナデシルナフチルスルホン酸もしくはジノナデシルナフチルスルホン酸；または、直鎖もしくは分枝鎖モノデカデシルナフチルスルホン酸もしくはジデカデシルナフチルスルホン酸を含むことができる。
【００５６】
導電性誘導剤の例示的な市販例は、ＳＴＡＴ−ＳＡＦＥ（登録商標）２５００（灯油、ｏ−キシレン、ドデシルベンゼンスルホン酸、およびソルベントナフサの組合せ、イノスペック スペシャルティ ケミカルズ（Innospec Specialty Chemicals）、ＵＫ、チェシャー州より市販）；ＥＸＰＩＮＮ（登録商標）１０（ヘプタンおよびドデシルベンゼンスルホン酸の組合せ、イノスペック スペシャルティ ケミカルズ、ＵＫ、チェシャー州より市販）、ＳＴＡＤＩＳ（登録商標）４５０（ジノニルナフチルスルホン酸（dinonyl napthyl sulfonic acid）、アソシエイテッド オクテル カンパニー リミテッド（The Associated Octel Company Limited）、ＵＫ、チェシャー州より市販）；およびＳＴＡＤＩＳ（登録商標）４２５（アソシエイテッド オクテル カンパニー リミテッド、ＵＫ、チェシャー州より市販）を含む。
【００５７】
潤滑流体は、単一の導電性誘導剤、または同一もしくは異なる種類の２つ以上の導電性誘導剤の組合せを含んでもよい。潤滑流体中の導電性誘導剤の濃度は、幅広く異なり得る。実施形態において、濃度は、潤滑流体の全体的な粘性に影響がないように比較的低く保たれる。実施形態において、潤滑流体中の導電性誘導剤の濃度は、１０から５０００ｐｐｍ、１００から５０００ｐｐｍ、５０から１０００ｐｐｍ、または５０から５００ｐｐｍとなり得る。実施形態において、開示される潤滑流体は、５０ＭΩ未満の抵抗を有し得る。たとえば、鉱物系炭化水素中の１０００ｐｐｍ（すなわち０．１％）のアリールスルホン酸は、好適な性能を与えることが分かっている。これは、潤滑剤中の強磁性粒子の濃度が４％までである典型的な強磁性流体潤滑剤よりも非常に低い濃度である。
【００５８】
さらなる添加剤
潤滑流体は、有効量の１つ以上の添加剤、たとえば、酸化防止剤、防食剤、粘度指数調整剤、流動点降下剤、消泡剤、金属洗浄剤および導電性非金属性添加剤、を随意に含んでもよい。
【００５９】
好適な酸化防止剤は、アミン系酸化防止剤、フェノール系酸化防止剤、チオジプロピオン酸ジ（ｎ−ドデシル）、チオジプロピオン酸ジ（ｎ−オクタデシル）および類似のチオジプロピオン酸、フェノチアジンおよび類似の硫黄系化合物など、スピンドルモータの潤滑流体および／または作動面の酸化を抑制、防止または減少することのできる化合物すべてを含むことができる。
【００６０】
実施形態において、潤滑流体は、少なくとも１つのアミン系酸化防止剤または２つ以上のアミン系酸化防止剤の組合せを含むことができる。如何なるアミン系酸化防止剤も利用することができる。実施形態において、アミン系酸化防止剤は、分子中に硫黄を含有せず、約６から６０個、または約１０から４０個の炭素原子を有する化合物であり得る。実施形態において、アミン系酸化防止剤は、アリール基が同一または異なっており、各々が、ハロゲンおよびＣ１−Ｃ１２アルキル基からなる群から選択される１、２または３つの同一または異なる置換基を随意に持つ、Ｃ６−Ｃ１４アリールであり得る、ジアリールアミンからなる群から選択することができる。実施形態において、アミン系酸化防止剤は、アリール基が同一または異なっており、各々が、１、２または３つの同一または異なるＣ３−Ｃ１２アルキル置換基を随意に持つ、Ｃ６−Ｃ１４アリールであり得る、ジアリールアミンからなる群から選択することができる。
【００６１】
例示的な例は、ジフェニルアミン、たとえば、ジフェニルアミン、モノブチル（直鎖および分枝鎖を含む）ジフェニルアミン、モノペンチル（直鎖および分枝鎖を含む）ジフェニルアミン、モノヘキシル（直鎖および分枝鎖を含む）ジフェニルアミン、モノブチル（直鎖および分枝鎖を含む）ジフェニルアミン、モノペンチル（直鎖および分枝鎖を含む）ジフェニルアミンおよび類似のモノアルキルジフェニルアミン、特に、モノ（Ｃ４−Ｃ９アルキル）ジフェニルアミン（すなわち、２つのベンゼン環のうち１つがアルキル基、特に、Ｃ４−Ｃ９アルキル基でモノ置換されているジフェニルアミン、すなわち、モノアルキル置換ジフェニルアミン）；ｐ，ｐ’−ジブチル（直鎖および分枝鎖を含む）ジフェニルアミン、ｐ，ｐ’−ジペンチル（直鎖および分枝鎖を含む）ジフェニルアミン、ｐ，ｐ’−ジヘキシル（直鎖および分枝鎖を含む）ジフェニルアミン、ｐ，ｐ’−ジヘプチル（直鎖および分枝鎖を含む）ジフェニルアミン、ｐ，ｐ’−ジオクチル（直鎖および分枝鎖を含む）ジフェニルアミン、ｐ、ｐ’−ジノニル（直鎖および分枝鎖を含む）ジフェニルアミンおよび類似のジ（アルキルフェニル）アミン、特に、ｐ，ｐ’−ジ（Ｃ４−Ｃ９アルキルフェニル）アミン（すなわち、ベンゼン環の各々が、アルキル基、特に、Ｃ４−Ｃ９アルキル基でモノ置換されており、２つのアルキル基が同一である、ジアルキル置換ジフェニルアミン）；ベンゼン環のうち一方の上のアルキル基が、ベンゼン環のうち他方の上のアルキル基と異なる、ジ（モノＣ４−Ｃ９アルキルフェニル）アミン；２つのベンゼン環の４つのアルキル基の少なくとも１つが、残りのアルキル基と異なる、ジ（ジ−Ｃ４−Ｃ９アルキルフェニル）アミン；Ｎ−フェニル−１−ナフチルアミン、Ｎ−フェニル−２−ナフチルアミン、４−オクチルフェニル−１−ナフチルアミン、４−オクチルフェニル−２−ナフチルアミンなどのナフチルアミン；ｐ−フェニレンジアミン、Ｎ−フェニル−Ｎ’−イソプロピル−ｐ−フェニレンジアミン、Ｎ−フェニル−Ｎ’−（１，３−ジメチルブチル）−ｐ−フェニレンジアミンなどのフェニレンジアミンなどを含むことができる。実施形態において、ｐ，ｐ’−ジオクチル（直鎖および分枝鎖を含む）ジフェニルアミン、ｐ，ｐ’−ジノニル（直鎖および分枝鎖を含む）ジフェニルアミン、およびＮ−フェニル−１−ナフチルアミンを利用することができる。
【００６２】
実施形態において、潤滑流体は、少なくとも２つの異なる種類の酸化防止剤を含むことができる。実施形態において、潤滑流体は、少なくとも１つのアミン系酸化防止剤と、異なる種類の少なくとも１つのさらなる酸化防止剤とを含むことができる。実施形態において、潤滑流体は、少なくとも１つのアミン系酸化防止剤と、少なくとも１つのフェノール系酸化防止剤とを含むことができる。実施形態において、単一または２つ以上のフェノール系酸化防止剤を利用することができる。実施形態において、如何なるフェノール系酸化防止剤も利用することができる。実施形態において、フェノール系酸化防止剤は、分子中に硫黄原子を含有しない化合物であり得る。実施形態において、フェノール系酸化防止剤は、約６から１００個の炭素原子、または約１０から８０個の炭素原子を有することができる。
【００６３】
実施形態において、フェノール系酸化防止剤は、たとえば、２，６−ジ−ｔ−ブチルフェノール、２，６−ジ−ｔ−ブチル−ｐ−クレゾール、４，４’−メチレンビス（２，６−ジ−ｔ−ブチルフェノール）、４，４’−ブチリデンビス（３−メチル−６−ｔ−ブチルフェノール）、２，２’−メチレンビス（４−エチル−６−ｔ−ブチルフェノール）、２，２’−メチレンビス（４−メチル−６−ｔ−ブチルフェノール）、４，４’−イソプロピリデンビスフェノール、２，４−ジメチル−６−ｔ−ブチルフェノール、テトラキス［メチレン−３−（３，５−ジ−ｔ−ブチル−４−ヒドロキシフェニル）−プロピオン酸］メタン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）−ベンゼン、２，６−ジ−ｔ−ブチル−４−エチルフェノール、ビス［２−（２−ヒドロキシ−５−メチル−３−ｔ−ブチルベンジル）−４−メチル−６−ｔ−ブチルフェニル］テレフタレート、トリエチレングリコールビス［３−（３−ｔ−ブチル−５−メチル−４−ヒドロキシフェニル）プロピオン酸］、および１，６−ヘキサンジオール−ビス［３−（３，５−ジ−ｔ−ブチル−４−ヒドロキシフェニル）プロピオン酸］から選択することができる。
【００６４】
実施形態において、フェノール系酸化防止剤は、２，６−ジ−ｔ−ブチル−ｐ−クレゾール、４，４’−メチレンビス（２，６−ジ−ｔ−ブチルフェノール）、２，６−ジ−ｔ−ブチル−４−エチルフェノール、またはその組合せから選択することができる。
【００６５】
潤滑流体が、１つ以上のフェノール系酸化防止剤と１つ以上のアミン系酸化防止剤との組合せを含む実施形態において、フェノール系酸化防止剤とアミン系酸化防止剤との比は、広い範囲から好適に選択することができ、フェノール系酸化防止剤（ＰＢＡ）とアミン系酸化防止剤（ＡＢＡ）との重量比は、少なくとも約１（ＰＢＡ）対０．０５（ＡＢＡ）、最大で１（ＰＢＡ）対２０（ＡＢＡ）であり得る。実施形態において、この比は、少なくとも約１（ＰＢＡ）対０．２（ＡＢＡ）、最大で１（ＰＢＡ）対５（ＡＢＡ）であってよい。
【００６６】
少なくとも１つのアミン系酸化防止剤および少なくとも１つのフェノール系酸化防止剤を含む酸化防止剤の組合せの例示的な実施形態は、２，６−ジ−ｔ−ブチル−ｐ−クレゾール、４，４’−メチレンビス（２，６−ジ−ｔ−ブチルフェノール）、および２，６−ジ−ｔ−ブチル−４−エチルフェノールからなる群から選択される１つ以上のメンバー、ｐ，ｐ’−ジオクチル（直鎖および分枝鎖を含む）ジフェニルアミン、ｐ，ｐ’−ジノニル（直鎖および分枝鎖を含む）ジフェニルアミンおよびＮ−フェニル−１−ナフチルアミンからなる群から選択される１つ以上のメンバー、ならびにその組合せを含む。
【００６７】
実施形態において、潤滑流体は、次の組合せの１つ以上を含むことができる。２，６−ジ−ｔ−ブチル−ｐ−クレゾールおよびｐ，ｐ’−ジオクチル（直鎖および分枝鎖を含む）ジフェニルアミン；２，６−ジ−ｔ−ブチル−ｐ−クレゾールおよびｐ，ｐ’−ジノニル（直鎖および分枝鎖を含む）ジフェニルアミン；２，６−ジ−ｔ−ブチル−ｐ−クレゾールおよびＮ−フェニル−１−ナフチルアミン、−４，４’−メチレンビス（２，６−ジ−ｔ−ブチルフェノール）およびｐ，ｐ’−ジオクチル（直鎖および分枝鎖を含む）ジフェニルアミン；４，４’−メチレンビス（２，６−ジ−ｔ−ブチルフェノール）およびｐ，ｐ’−ジノニル（直鎖および分枝鎖を含む）ジフェニルアミン；４，４’−メチレンビス（２−６−ジ−ｔ−ブチルフェノール）およびＮ−フェニル−１−ナフチルアミン；２，６−ジ−ｔ−ブチル−４−エチルフェノールおよびｐ，ｐ’−ジオクチル（直鎖および分枝鎖を含む）ジフェニルアミン；２，６−ジ−ｔ−ブチル−４−エチルフェノールおよびｐ，ｐ’−ジノニル（直鎖および分枝鎖を含む）ジフェニルアミン；ならびに２，６−ジ−ｔ−ブチル−４−エチルフェノール（2,6-di-t-hutyl-4-ethylphenol）およびＮ−フェニル−１−ナフチルアミン。
【００６８】
実施形態において、潤滑流体は、次の組合せの１つ以上を含むことができる。４，４’−メチレンビス（２，６−ジ−ｔ−ブチルフェノール）およびｐ，ｐ’−ジオクチル（直鎖および分枝鎖を含む）ジフェニルアミン；４，４’−メチレンビス（２，６−ジ−ｔ−ブチルフェノール）およびｐ，ｐ’−ジノニル（直鎖および分枝鎖を含む）ジフェニルアミン；ならびに４，４’−メチレンビス（２−６−ジ−ｔ−ブチルフェノール）およびＮ−フェニル−１−ナフチルアミン。
【００６９】
潤滑流体中に存在する酸化防止剤の全量は、広く異なり得る。一般的に、酸化防止剤は、潤滑流体の構成物質の酸化による劣化を防止、抑制、または十分に阻止するために有効となり得る全量で使用される。有効量は、潤滑流体の全重量を基準として、０．０１から５．０％、０．１％から５．０％、０．０５から５％、または０．１から３％の範囲であってよい。酸化防止剤は、より多い量で加えられてもよい。しかしながら、一般的に、より多い量が潤滑流体のスピンドルモータへの適性（suitability of tile lubricating fluid for spindle motors）をさらに向上させることはないため、非経済的であり得る。酸化防止剤は、その量が、潤滑流体の構成物質の酸化による劣化を防止、抑制、または十分に阻止するために有効である限り、より少ない量で加えられてもよい。
【００７０】
潤滑流体はまた随意に、耐摩耗特性、高圧金属接触特性および摩擦特性を向上させる添加剤、すなわち、耐摩耗添加剤を含むこともできる。この種の添加剤は、たとえば、ジアルキルジチオリン酸、アルキルおよびアリールジスルフィドならびにアルキルおよびアリールポリスルフィド、ジチオカルバミン酸、アルキルリン酸塩、モリブデン錯体、中性リン酸エステル、さらに、これらの添加剤の２つ以上の組合せを含むことができる。実施形態において、耐摩耗添加剤は、たとえば、ジアルキルジチオリン酸亜鉛、モリブデンジスルフィド、液体リン酸アミン、たとえば、リン酸Ｃ１１−Ｃ１４分枝鎖アルキル、リン酸モノヘキシル、リン酸ジヘキシル、リン酸ジブチル、リン酸ジオクチルまたはリン酸ジクレジルなどのアシッドホスフェートのアミン塩、リン酸ジブチルまたはリン酸ジイソプロピルなどのアシッドホスフェートのアミン塩、および中性リン酸アリールエステルを含むことができる。例示的な液体リン酸アミンは、チバガイギー（Ciba Geigy）から商業的に入手可能である。
【００７１】
好適な中性リン酸エステルは、トリエステルホスフェート（リン酸トリエステルとしても公知である）（Ｏ＝）Ｐ（ＯＲ）３（式中、置換基「Ｒ」は、同一または異なった炭化水素ラジカルを示す）をすべて含むことができる。一般的に、炭化水素ラジカルは、１から３０個、または４から１８個の炭素原子を有し、直鎖または分枝鎖アルキル、シクロアルキルおよびアリール部分であっても、それらを含有してもよい。さらに、炭化水素ラジカルは、１つ以上のハロゲン置換基を持ってよい。ハロゲン置換基が存在する場合、たとえば、フッ素、塩素、または臭素置換基であることができる。
【００７２】
一般的に、置換基Ｒの各々は独立して、以下を示すことができる。ａ．）１つ以上のハロゲン、Ｃ３−Ｃ１０シクロアルキル、またはＣ６−Ｃ１４アリール基によって随意に置換することができる、直鎖または分枝鎖Ｃ１−Ｃ１８アルキル。ここで、環状基は、ハロゲン、Ｃ１−Ｃ１０アルキル、Ｃ３−Ｃ１０シクロアルキルおよびＣ６−Ｃ１４アリールの群から選択される１から３つの置換基を持ってよい；ｂ．）単環または多環であってよく、１つ以上のハロゲン、Ｃ１−Ｃ１０アルキル、Ｃ３−Ｃ１０シクロアルキルおよびＣ６−Ｃ１４アリール基によって随意に置換することができる、Ｃ３−Ｃ１０シクロアルキル。ここで、各アルキル基は、１つ以上のハロゲン、Ｃ３−Ｃ１０シクロアルキル、またはＣ６−Ｃ１４アリール基によって置換されてもよく、環状基の各々は、ハロゲン、Ｃ１−Ｃ１０アルキル、Ｃ３−Ｃ１０シクロアルキルおよびＣ６−Ｃ１４アリールの群から選択される１から３つの置換基を持ってよい；ｃ．）１つ以上のハロゲン、Ｃ１−Ｃ１０アルキル、Ｃ３−Ｃ１０（ビ）シクロアルキル、またはＣ６−Ｃ１４アリール基によって随意に置換することができる、フェニル、ナフチルおよびアントラセニルなどの、単環または多環であってよい、Ｃ６−Ｃ１４アリール。ここで、各アルキル基は、１つ以上のハロゲン、Ｃ３−Ｃ１０シクロアルキル、またはＣ６−Ｃ１４アリール基によって置換されてもよく、環状基の各々は、ハロゲン、Ｃ１−Ｃ１０アルキル、Ｃ３−Ｃ１０シクロアルキル、またはＣ６−Ｃ１４アリール基の群から選択される１から３つの置換基を持ってよい。
【００７３】
リン酸トリエステルの例は、リン酸トリブチル（直鎖および分枝鎖を含む）、リン酸トリペンチル（直鎖および分枝鎖を含む）、リン酸トリヘキシル（直鎖および分枝鎖を含む）、リン酸トリヘプチル（tripheptyl phosphate）（直鎖および分枝鎖を含む）、リン酸トリオクチル（直鎖および分枝鎖を含む）、リン酸トリノニル（直鎖および分枝鎖を含む）、リン酸トリデシル（直鎖および分枝鎖を含む）、リン酸トリウンデシル（直鎖および分枝鎖を含む）、リン酸トリドデシル（直鎖および分枝鎖を含む）、リン酸トリトリデシル（直鎖および分枝鎖を含む）、リン酸トリテトラデシル（直鎖および分枝鎖を含む）、リン酸トリペンタデシル（直鎖および分枝鎖を含む）、リン酸トリヘキサデシル（直鎖および分枝鎖を含む）、リン酸トリヘプタデシル（直鎖および分枝鎖を含む）、リン酸トリオクタデシル（直鎖および分枝鎖を含む）および、同一または異なるアルキル基を有する、類似のリン酸トリ（直鎖および分枝鎖Ｃ４−Ｃ１８アルキル）；リン酸トリシクロプロピル、リン酸トリシクロブチル、リン酸トリシクロペンチル、リン酸トリシクロヘキシル、リン酸トリシクロヘプチル（tricoheptyl）、リン酸トリシクロオクチル、および類似のリン酸トリ（Ｃ３−Ｃ８シクロアルキル）、ならびに、Ｒ基の１つまたは２つが、Ｃ４−Ｃ１８アルキルを示し、その他のＲ基が、Ｃ３−Ｃ８シクロアルキルを示す、対応するリン酸；リン酸トリフェニル、リン酸トリクレジル、リン酸トリキシレニル、リン酸クレジルジフェニル、リン酸キシレニルジフェニル、リン酸トリス（トリブロモフェニル）、リン酸トリス（ジブロモフェニル）、リン酸トリス（２，４−ジ−ｔ−ブチルフェニル）、リン酸トリ（ノニルフェニル）および類似のリン酸トリアリール、ならびに、Ｒ基の１または２つが、Ｃ４−Ｃ１８アルキルを示し、その他のＲ基がアリールを示す、対応するリン酸、さらに、第１のＲ基がＣ４−Ｃ１８アルキルを示し、第２のＲ基がＣ３−Ｃ８シクロアルキルを示し、第３のＲ基がアリールを示す、対応するリン酸も含むことができる。
【００７４】
実施形態において、中性リン酸エステルは、リン酸トリアリールであり得る。実施形態において、中性リン酸エステルは、アリール基の各々が、ハロゲンおよびＣ１−Ｃ１２アルキル基から選択される１から３つの同一または異なる置換基を随意に持つ、リン酸トリＣ６−Ｃ１４アリールであり得る。実施形態において、中性リン酸エステルは、アリール基の各々が、１から３つの同一または異なるＣ１−Ｃ１２アルキル基を随意に持つ、リン酸トリＣ６−Ｃ１４アリールであり得る。実施形態において、中性リン酸エステルは、アリール基の各々が、１から３つの同一または異なるＣ１−Ｃ８アルキル基を随意に持つ、リン酸トリＣ６−Ｃ１０アリールであり得る。実施形態において、中性リン酸エステルは、アリール基の各々が、少なくとも１つのＣ１−Ｃ８アルキル基を持つ、リン酸トリＣ６−Ｃ１０アリールであり得る。実施形態において、中性リン酸エステルは、フェニル環の各々が、ハロゲンおよびＣ１−Ｃ１２アルキル基から選択される１から３つの同一または異なる置換基を随意に持つ、リン酸トリフェニルであり得る。実施形態において、中性リン酸エステルは、フェニル環の各々が、１から３つの同一または異なるＣ１−Ｃ１２アルキル基を随意に持つ、リン酸トリフェニルであり得る。実施形態において、中性リン酸エステルは、フェニル環の各々が、１から３つの同一または異なるＣ１−Ｃ８アルキル基を随意に持つ、リン酸トリフェニルであり得る。実施形態において、中性リン酸エステルは、フェニル環の各々が、少なくとも１つのＣ１−Ｃ８アルキル基を持つ、リン酸トリフェニルであり得る。実施形態において、中性リン酸エステルは、フェニル環の各々が、少なくとも１つのＣ３−Ｃ６アルキル基を持つ、リン酸トリフェニルであり得る。実施形態において、中性リン酸エステルは、フェニル環の各々が、少なくとも１つの直鎖または分枝鎖ブチル基を持つ、リン酸トリフェニルであり得る。
【００７５】
潤滑流体は、単一の中性リン酸エステル、または２つ以上の中性リン酸エステルの組合せを含んでもよい。さらに、潤滑流体は、単一の耐摩耗添加剤、または２つ以上の同様もしくは異なる種類の耐摩耗添加剤の組合せを含んでもよい。潤滑流体中に存在する耐摩耗添加剤の全量は、幅広く異なり得る。一般的に、耐摩耗添加剤は、作動面の、たとえば金属どうしの接触などの直接的な接触を防止するために有効な全量で使用することができる。有効量は、通常、潤滑流体の全重量を基準として、０．０１から５重量％、０．０５から５重量％、または０．１重量％から５重量％、または０．１から３重量％の範囲である。耐摩耗添加剤は、より多い量で加えられてもよい。しかしながら、一般的に、より多い量が潤滑流体のスピンドルモータへの適性をさらに向上させることはないため、非経済的であり得る。
【００７６】
潤滑流体は、防食剤も随意に含んでもよい。好適な防食剤（金属洗剤剤、金属受動態化剤、防錆剤）は、スルホン酸塩、ヒドロカルビルアミン、カルボン酸誘導体、イミダゾリン、チア（ジア）ゾール、（ベンゾ）トリアゾールおよびリン酸アミンなど、スピンドルモータの作動面の腐食を抑制、防止または減少する化合物を含むことができる。
【００７７】
実施形態において、潤滑流体は、少なくとも９個の炭素原子を有する炭化水素基を含む、少なくとも１つの天然もしくは合成スルファート、またはその塩を含むことができる。実施形態において、潤滑流体は、少なくとも９個の炭素原子を有する炭化水素基を含む、天然または合成スルファートの少なくとも１つの塩を含むことができる。
【００７８】
実施形態において、潤滑流体は、少なくとも１つの石油スルホン酸Ｃａ、過塩基化石油スルホン酸Ｃａ、アルキルベンゼンスルホン酸Ｃａ、過塩基化アルキルベンゼンスルホン酸Ｃａ、アルキルベンゼンスルホン酸Ｂａ、過塩基化アルキルベンゼンスルホン酸Ｂａ、アルキルベンゼンスルホン酸Ｍｇ、過塩基化アルキルベンゼンスルホン酸Ｍｇ、アルキルベンゼンスルホン酸Ｎａ、過塩基化アルキルベンゼンスルホン酸Ｎａ、アルキルナフタレンスルホン酸Ｃａ、過塩基化アルキルナフタレンスルホン酸Ｃａまたは類似のスルホン酸金属；Ｃａフェナート（phenate）、過塩基化Ｃａフェナート、Ｂａフェナート、過塩基化Ｂａフェナートまたは類似の金属フェナート；サリチル酸Ｃａ、過塩基化サリチル酸Ｃａまたは類似のサリチル酸金属；ホスホン酸Ｃａ、過塩基化ホスホン酸Ｃａ、ホスホン酸Ｂａ、過塩基化ホスホン酸Ｂａまたは類似のホスホン酸金属；過塩基化カルボン酸Ｃａなどを含むことができる。実施形態において、潤滑流体は、少なくとも１つの石油スルホン酸Ｃａ、アルキルベンゼンスルホン酸Ｃａ、アルキルベンゼンスルホン酸Ｂａ、アルキルベンゼンスルホン酸Ｍｇ、アルキルベンゼンスルホン酸Ｎａ、アルキルベンゼンスルホン酸Ｚｎ、アルキルナフタレンスルホン酸Ｃａまたは類似のスルホン酸金属を含むことができる。
【００７９】
実施形態において、潤滑流体は、少なくとも１つの炭化水素で置換されたアミン、たとえば、エチルアミン、ジエチルアミン、トリエチルアミン、各々が独立して１から２０個の炭素原子を有する１、２または３つのアルキル置換基を有する、第一級、第二級または第三級アミン、フェニレンジアミン、シクロヘキシルアミン、モルホリン、エチレンジアミン、トリエチレンテトラミン、テトラエチレンペンタミンなどを含むことができる。実施形態において、潤滑流体は、炭化水素で置換されたアミンの少なくとも１つの塩を含むことができる。実施形態において、潤滑流体は、ロジンアミン、Ｎ−オレイルサルコシンおよび類似のアミンの少なくとも１つを含むことができる。
【００８０】
実施形態において、潤滑流体は、少なくとも７個の炭素原子を有する炭化水素基を含む、少なくとも１つのカルボン酸またはカルボン酸塩を含むことができる。実施形態において、カルボン酸またはその塩は、１０から２２個の炭素原子、または１４から１８個の炭素原子を有する炭化水素基を含むことができる。具体例は、ｎ−ドデカン酸、ｎ−トリデカン酸、ｎ−テトラデカン酸、ｎ−ペンタデカン酸、ｎ−ヘキサデカン酸、ｎ−ヘプタデカン酸、ｎ−オクタデカン酸、ｎ−ノナデカン酸、ｎ−イコサン酸、ｎ−ドコサン酸、オレイン酸などを含む。実施形態において、ｎ−テトラデカン酸、ｎ−ヘキサデカン酸およびｎ−オクタデカン酸を利用することができる。実施形態において、潤滑流体は、少なくとも１つのドデセニルコハク酸ハーフエステル、オクタデセニル無水コハク酸、ドデセニルコハク酸アミドまたは類似のアルキルもしくはアルケニルコハク酸誘導体；モノオレイン酸ソルビタン、モノオレイン酸グリセリン、モノオレイン酸ペンタエリスリトールまたは類似の多価アルコールの部分エステルを含むことができる。
【００８１】
実施形態において、カルボン酸誘導体は、没食子酸系化合物であり得る。没食子酸系化合物の例は、７から３０個の炭素原子または８から２０個の炭素原子を有するものを含む。具体例は、没食子酸、没食子酸メチル、没食子酸エチル１０、没食子酸プロピル（直鎖および分枝鎖を含む）、没食子酸ブチル（直鎖および分枝鎖を含む）、没食子酸ペンチル（直鎖および分枝鎖を含む）、没食子酸ヘキシル（直鎖および分枝鎖を含む）、没食子酸ヘプチル（直鎖および分枝鎖を含む）、没食子酸オクチル（直鎖および分枝鎖を含む）、没食子酸ノニル（直鎖および分枝鎖を含む）、没食子酸デシル（直鎖および分枝鎖を含む）、没食子酸ウンデシル（直鎖および分枝鎖を含む）、没食子酸ドデシル（直鎖および分枝鎖を含む）、没食子酸トリデシル（直鎖および分枝鎖を含む）、没食子酸テトラデシル（直鎖および分枝鎖を含む）、没食子酸ペンタデシル（直鎖および分枝鎖を含む）、没食子酸ヘキサデシル（直鎖および分枝鎖を含む）、没食子酸ヘプタデシル（直鎖および分枝鎖を含む）、没食子酸オクタデシル（直鎖および分枝鎖を含む）、没食子酸ノナデシル（直鎖および分枝鎖を含む）、没食子酸イコシル（直鎖および分枝鎖を含む）、没食子酸ドコシル（直鎖および分枝鎖を含む）および類似の没食子酸の直鎖および分枝鎖Ｃ１−Ｃ２２アルキルエステル；ならびに没食子酸シクロヘキシル、没食子酸シクロペンチルおよび類似の没食子酸のＣ４−Ｃ８シクロアルキルエステルを含む。実施形態において、没食子酸（ｎ−プロピル）、没食子酸（ｎ−オクチル）、没食子酸（ｎ−ドデシル）および類似の没食子酸の直鎖または分枝鎖Ｃ３−Ｃ１２アルキルエステルを利用することができる。
【００８２】
実施形態において、潤滑流体は、防食剤として機能する少なくとも１つのイミダゾール、チア（ジア）ゾール系化合物または（ベンゾ）トリアゾール系化合物を含むことができる。本質的に、如何なる腐食を阻止するイミダゾール、チア（ジア）ゾール系化合物または（ベンゾ）トリアゾール系化合物も好適であり得る。実施形態において、防食剤は、分子中に硫黄を有さないトリアゾール系化合物であり得る。実施形態において、トリアゾール系化合物は、たとえば、６から６０個の炭素原子または６から４０個の炭素原子を有するベンゾトリアゾールであり得る。例示的な例は、ベンゾトリアゾール、５−メチル−１Ｈベンゾトリアゾール、１−ジオクチルアミノメチルベンゾトリアゾール、１−ジオクチルアミノメチル−５−メチルベンゾトリアゾール、２−（５’−メチル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−（３’，５’−ジ−ｔ−ブチル−２’−ヒドロキシフェニル）ベンゾトリアゾール、２−（３’−ｔ−ブチル−５’−メチル−２’−ヒドロキシフェニル）−５−クロロベンゾトリアゾール、２−（３，５’−ジ−ｔ−ブチル−２’−ヒドロキシフェニル）−５−クロロベンゾトリアゾール、２−（３’，５’−ジ−ｔ−アミル−２’−ヒドロキシフェニル）ベンゾトリアゾール、２−（５’−ｔ−ブチル−２’−ヒドロキシフェニル）ベンゾトリアゾール、２−（２−ヒドロキシ−５’−メチルフェニル）ベンゾトリアゾール、２−（２’−ヒドロキシ−５’−ｔ−オクチルフェニル）ベンゾトリアゾール、２−［２’−ヒドロキシ−３’−（３’’，４’’−５’’，６’’テトラヒドロフタリドメチル）−５’−メチルフェニル］ベンゾトリアゾールなどを含む。実施形態において、潤滑流体は、ベンゾトリアゾールおよび／または５−メチル−１Ｈ−ベンゾトリアゾールを含むことができる。
【００８３】
一般的に、潤滑流体は、単一の防食剤または同一もしくは異なる種類の２つ以上の防食剤の組合せを含んでもよい。潤滑流体中に存在する防食剤の全量は、広く異なり得る。一般的に、防食剤は、作動面の腐食を防止、抑制、または十分に阻止するために有効となり得る量で使用することができる。有効量は、潤滑流体の全重量を基準として、０．０１から５．０重量％、または０．０５から５重量％、または０．１から３重量％の範囲であってよい。防食剤は、より多い量で加えられてもよい。しかしながら、一般的に、より多い量が潤滑流体のスピンドルモータへの適性をさらに向上させることはないため、非経済的であり得る。防食剤は、その量が、スピンドルモータの作動面の腐食を防止、抑制、または十分に阻止するために有効である限り、より少ない量で加えられてもよい。
【００８４】
開示される潤滑流体はまた、１つ以上の粘度指数調整剤も随意に含むことができる。好適な粘度指数改善剤（粘性調整剤）は、たとえばポリマー化合物など、より高温で増加した粘度および、より低温で最小限の粘度寄与を与える化合物をすべて含むことができる。粘度指数改善剤の例は、ポリメタクリル酸アルキル、ポリアルキルスチレン、ポリブテン、エチレン−プロピレンコポリマー、スチレン−ジエンコポリマー、スチレン−無水マレイン酸エステルコポリマー、および類似のオレフィンコポリマーを含む。一般的に、潤滑流体は、単一の粘度指数改善剤または同一もしくは異なる種類の２つ以上の粘度指数改善剤の組合せを含んでもよい。
【００８５】
潤滑流体中に存在する粘度指数改善剤の全量は、広く異なり得る。一般的に、粘度指数改善剤は、より高温で増加した粘度および、より低温で最小限の粘度寄与を与えるために有効となり得る量で使用することができる。有効量は、潤滑流体の全重量を基準として、０．０１から５．０重量％、０．０５から５重量％、または０．１から３重量％の範囲であってよい。粘度指数改善剤は、より多い量で加えられてもよい。しかしながら、一般的に、より多い量が潤滑流体のスピンドルモータへの適性をさらに向上させることはないため、非経済的であり得る。粘度指数改善剤は、その量が、より高温で増加した粘度および、より低温で最小限の粘度寄与を与えるために有効である限り、より少ない量で加えられてもよい。
【００８６】
開示される潤滑流体はまた、流動点降下剤を随意に含むこともできる。好適な流動点降下剤（低温フロー改善剤、ワックス結晶調整剤）は、たとえば、ポリマー化合物など、潤滑流体の低温フロー特性を改善することのできる化合物をすべて含むことができる。好適な流動点降下剤の例は、塩化パラフィンとアルキルナフタレンとの縮合物、塩化パラフィンとフェノールとの縮合物、および、上述のように粘度指数改善剤としても作用し得る、ポリメタクリル酸アルキル、ポリアルキルスチレン、ポリブテンなどを含む。一般的に、潤滑流体は、単一の流動点降下剤または同一もしくは異なる種類の２つ以上の流動点降下剤の組合せを含んでもよい。
【００８７】
潤滑流体中に存在する流動点降下剤の全量は、広く異なり得る。一般的に、流動点降下剤は、潤滑流体の低温フロー特性を改善するために有効となり得る量で使用することができる。有効量は、潤滑流体の全重量を基準として、０．０１から５．０重量％、０．０５から５重量％、または０．１から３重量％の範囲であってよい。流動点降下剤は、より多い量で加えられてもよい。しかしながら、一般的に、より多い量が潤滑流体のスピンドルモータへの適性をさらに向上させることはないため、非経済的であり得る。流動点降下剤は、その量が、必要な低温フロー特性を与えるために有効である限り、より少ない量で加えられてもよい。
【００８８】
開示される潤滑流体はまた、消泡剤を随意に含むこともできる。好適な消泡剤は、潤滑流体の気泡形成の傾向を十分に抑制、防止または減少することのできる化合物すべてを含むことができる。好適な消泡剤の例は、ポリシロキサン、ペルフルオロポリエーテル、ポリアクリル酸および同様の有機ポリマーを含む。一般的に、潤滑流体は、単一の消泡剤、または同一もしくは異なる種類の２つ以上の消泡剤の組合せを含んでもよい。
【００８９】
潤滑流体中に存在する消泡剤の全量は、広く異なり得る。一般的に、消泡剤は、潤滑流体の気泡形成の傾向を十分に抑制、防止または減少するために有効となり得る量で使用することができる。有効量は、潤滑流体の全重量を基準として、０．０１から５重量％、０．０５から５重量％、または０．１から３重量％の範囲であってよい。消泡剤は、より多い量で加えられてもよい。しかしながら、一般的に、より多い量が潤滑流体のスピンドルモータへの適性をさらに向上させることはないため、非経済的であり得る。消泡剤は、その量が、潤滑流体の気泡形成の傾向を十分に抑制、防止または減少するために有効である限り、より少ない量で加えられてもよい。
【００９０】
一般的に、潤滑流体は、如何なる望ましい粘度も有することができる。実施形態において、潤滑流体は、０℃で１５ｃｐから８０ｃｐの粘度を有することができる。実施形態において、潤滑流体は、０℃で２５ｃｐから７０ｃｐの粘度を有することができる。実施形態において、潤滑流体は、０℃で２５ｃｐから６０ｃｐの粘度を有することができる。
【実施例】
【００９１】
材料
材料は、以下の供給業者から入手し、特に記述のない限り、受け取ったまま使用した。３−メチル−１，５−ペンタンジオールを１部およびウンデカン酸を２部（シグマ アルドリッチ（Sigma Aldrich）、ミズーリ州、セントルイス）用いて、３−メチル−１，５−ペンタンジオール ジ−ｎ−ウンデカノアートを合成した。公知の手順を用いて混合物を洗浄し、精製した。３−メチル−１，５−ペンタンジオールを１部およびノナン酸を２部（シグマ アルドリッチ、ミズーリ州、セントルイス）用いて、３−メチル−１，５−ペンタンジオール ジ−ｎ−ノナノアートを合成した。公知の手順を用いて混合物を洗浄し、精製した。オクチル化／ブチル化ジフェニルアミンであるＩＲＧＡＮＯＸ（登録商標）Ｌ５７；コハク酸ハーフエステルであるＩＲＧＡＣＯＲ（登録商標）Ｌ１２；およびトルトリアゾール誘導体であるＩＲＧＡＭＥＴ（登録商標）３９を、チバ ホールディング、エー ジー（スイス、バーゼル）より入手した。Ｒｅｏｆｏｓ−ＲＤＰ（登録商標）として市販されている二リン酸テトラフェニルレゾルシノール（Tetraphenyl resoercinol diphosphate）を、ケムチュラ コーポレーション（Chemtura Corporation）（インディアナ州、ウェストラファイエット）より入手した。ブチル化リン酸トリアリール添加剤であるＳＹＮ−Ｏ−ＡＤ（登録商標）８４７８を、アイ シー エル インダストリアル プロダクツ（ＩＣＬ  Ｉｎｄｕｓｔｒｉａｌ  Ｐｒｏｄｕｃｔｓ）（ミズーリ州、セントルイス）より入手した。ＳＴＡＴ−ＳＡＦＥ（登録商標）２５００（灯油、ｏ−キシレン、ドデシルベンゼンスルホン酸、およびソルベントナフサの組合せ）を、イノスペック スペシャルティ ケミカルズ、ＵＫ、チェシャー州より入手した。ＥＸＰＩＮＮ（登録商標）１０（ヘプタンおよびドデシルベンゼンスルホン酸の組合せ）を、イノスペック スペシャルティ ケミカルズ、ＵＫ、チェシャー州より入手した。
【００９２】
比較用組成物１（ＣＣ１）は、３−メチル−１，５−ペンタンジオール ジ−ｎ−ウンデカノアート（９８．４重量％）、ＩＲＧＡＮＯＸ（登録商標）Ｌ５７（１．０重量％）、ＳＹＮ−Ｏ−ＡＤ（登録商標）８４７８（０．５重量％）、ＩＲＧＡＣＯＲ（登録商標）Ｌ１２（０．０５重量％）、およびＩＲＧＡＭＥＴ（登録商標）３９（０．０５重量％）を含んでいた。組成物１（Ｃ１）および組成物２（Ｃ２）は、ＣＣ１の成分およびＳＴＡＴ−ＳＡＦＥ（登録商標）２５００を１００ｐｐｍ（Ｃ１）、ＳＴＡＴ−ＳＡＦＥ（登録商標）２５００を３００ｐｐｍ（Ｃ２）含んでいた。
【００９３】
比較用組成物２（ＣＣ２）は、３−メチル−１，５−ペンタンジオール ジ−ｎ−ノナノアート（９８．４重量％）、ＩＲＧＡＮＯＸ（登録商標）Ｌ５７（１．０重量％）、Ｒｅｏｆｏｓ−ＲＤＰ（登録商標）（０．５重量％）、ＩＲＧＡＣＯＲ（登録商標）Ｌ１２（０．０５重量％）、およびＩＲＧＡＭＥＴ（登録商標）３９（０．０５重量％）を含んでいた。組成物３（Ｃ３）、組成物４（Ｃ４）、および組成物５（Ｃ５）は、ＣＣ２の成分およびＳＴＡＴ−ＳＡＦＥ（登録商標）２５００を１００ｐｐｍ（Ｃ３）、ＳＴＡＴ−ＳＡＦＥ（登録商標）２５００を５００ｐｐｍ（Ｃ４）、およびＥＸＰＩＮＮ（登録商標）１０を５００ｐｐｍ含んでいた。
【実施例１】
【００９４】
ＣＣ１、Ｃ１、Ｃ２、ＣＣ２、Ｃ３、Ｃ４、およびＣ５のサンプルの導電率を、３０℃から１００℃の範囲の温度で測定した。図４は、ＣＣ１、Ｃ１、およびＣ２についての導電率対温度を示し、図５は、ＣＣ２、Ｃ３、Ｃ４、およびＣ５についての導電率対温度を示す。
【実施例２】
【００９５】
ＣＣ１およびＣ２の蒸発を、１５０℃で０時間から９５時間モニタした。残留油のパーセントを時間の関数として、図６に報告する。図６に見られるように、開示される導電性誘導剤を含む潤滑油Ｃ２は、導電性誘導剤を含まない同じ油と比較して、認め得る程の蒸発速度の差を示さない。
【００９６】
このように、導電性誘導剤を含む潤滑剤を備えるハイドロベアリングを有する流体動圧ディスクドライブスピンドルモータの実施形態が開示される。本開示は、開示される実施形態以外により実施できることを、当業者は認めるであろう。開示される実施形態は限定ではなく例示の目的で提示され、本開示は下記の請求項によってのみ限定される。
【図１】
2013501135.tif 000009
【図２】
2013501135.tif 000010
【図３】
2013501135.tif 000011
【図４】
2013501135.tif 000012
【図５】
2013501135.tif 000013
【図６】
2013501135.tif 000014
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
ａ）  少なくとも１１０の粘度指数を有する合成エステルベース流体と、
ｂ）  前記潤滑流体の全重量を基準として、５０から１０００重量ｐｐｍの１つ以上のアリールスルホン酸導電性誘導剤と、
ｃ）  前記潤滑流体の全重量を基準として、０．０１重量％から５重量％の少なくとも１つのフェノール酸化防止剤、アミン酸化防止剤、またはフェノール酸化防止剤およびアミン酸化防止剤と、
ｄ）  前記潤滑流体の全重量を基準として、０．０１重量％から５重量％の少なくとも１つの耐摩耗添加剤とを含む、潤滑流体。
【請求項２】
少なくとも１つの前記導電性誘導剤は、
ａ．）  メタクリル酸ラウリルおよびメチルビニルピリジンのコポリマー中のジアルキルサリチル酸クロムとジデシルスルホコハク酸カルシウムとの混合物；
ｂ．）  Ｎ−タロウ−１，３−ジアミノプロパンおよびエピクロロヒドリン（３）のポリマー縮合体の（たとえば、芳香族溶媒中の）組成物；
ｃ．）  トルエン中の１−デセンポリスルホンおよび亜硝酸ジココジメチルアンモニウムの組成物；
ｄ．）  サリチル酸アルキル、スルホン酸塩、スクシンイミドおよび他の極性添加剤のコロイド溶液；
ｅ．）  オレイン酸マグネシウム、硝酸塩潤滑油のステアリン酸とのカルシウム塩、トルエン中のＣ１７−Ｃ２０合成脂肪酸のクロム塩の組成物、ステアリン酸クロム、クロム塩長鎖酸、オレイン酸クロム、リノール酸クロム、ナフテン酸コバルト、ナフテン酸銅、ナフテン酸ニッケル、ジエチルアミン、２−メチルピリジン、ピリジン、３−メチルピリジン、２−アミノ−５−ニトロピリジン、および２，６−ジニトロ−３−クロロピリジン；
ｆ．）  ステアリルアントラニル酸；
ｇ．）  長鎖有機酸または炭化水素の側鎖により可溶化させた導電性ポリアニリン誘導体；
ｈ．）  金属イオンを含有するフラーレン；および
ｉ．）  金属イオンから選択される、請求項１に記載のスピンドルモータ。
【請求項３】
前記導電性誘導剤は、一般式Ｉ：
【化１】
2013501135.tif 000015
（式中、０＜ｘ／ｙ＜１であり、ＲａおよびＲｂは各々独立して水素または炭化水素基であり、Ｒｃは水素、炭化水素基、ハロゲン原子、または、酸素もしくは硫黄を介してフェニル環に結合された炭化水素基である）によって示されるポリマー化合物を含む、請求項１に記載のスピンドルモータ。
【請求項４】
前記導電性誘導剤は、フェニル環が随意に、１、２もしくは３つの同一もしくは異なる直鎖もしくは分枝鎖Ｃ６−Ｃ２０アルキル基を持つフェニルスルホン酸；直鎖もしくは分枝鎖ヘプチルフェニルスルホン酸；直鎖もしくは分枝鎖オクチルフェニルスルホン酸；直鎖もしくは分枝鎖ノニルフェニルスルホン酸；直鎖もしくは分枝鎖デシルフェニルスルホン酸；直鎖もしくは分枝鎖ウンデシルフェニルスルホン酸；直鎖もしくは分枝鎖ドデシルフェニルスルホン酸；直鎖もしくは分枝鎖トリデシルフェニルスルホン酸；直鎖もしくは分枝鎖テトラデシルフェニルスルホン酸；直鎖もしくは分枝鎖ペンタデシルフェニルスルホン酸；直鎖もしくは分枝鎖ヘキサデシルフェニルスルホン酸；直鎖もしくは分枝鎖ヘプタデシルフェニルスルホン酸；直鎖もしくは分枝鎖オクタデシルフェニルスルホン酸；直鎖もしくは分枝鎖ノナデシルフェニルスルホン酸；直鎖もしくは分枝鎖デカデシルフェニルスルホン酸；直鎖もしくは分枝鎖モノヘキシルナフチルスルホン酸またはジヘキシルナフチルスルホン酸；直鎖もしくは分枝鎖モノヘプチルナフチルスルホン酸またはジヘプチルナフチルスルホン酸；直鎖もしくは分枝鎖モノオクチルナフチルスルホン酸またはジオクチルナフチルスルホン酸；直鎖もしくは分枝鎖モノノニルナフチルスルホン酸またはジノニルナフチルスルホン酸；直鎖もしくは分枝鎖モノデシルナフチルスルホン酸またはジデシルナフチルスルホン酸；直鎖もしくは分枝鎖モノウンデシルナフチルスルホン酸またはジウンデシルナフチルスルホン酸；直鎖もしくは分枝鎖モノドデシルナフチルスルホン酸またはジドデシルナフチルスルホン酸；直鎖もしくは分枝鎖モノトリデシルナフチルスルホン酸またはジトリデシルナフチルスルホン酸；直鎖もしくは分枝鎖モノテトラデシルナフチルスルホン酸またはジテトラデシルナフチルスルホン酸；直鎖もしくは分枝鎖モノペンタデシルナフチルスルホン酸またはジペンタデシルナフチルスルホン酸；直鎖もしくは分枝鎖モノヘキサデシルナフチルスルホン酸またはジヘキサデシルナフチルスルホン酸；直鎖もしくは分枝鎖モノヘプタデシルナフチルスルホン酸またはジヘプタデシルナフチルスルホン酸；直鎖もしくは分枝鎖モノオクタデシルナフチルスルホン酸またはジオクタデシルナフチルスルホン酸；直鎖もしくは分枝鎖モノノナデシルナフチルスルホン酸またはジノナデシルナフチルスルホン酸；および直鎖もしくは分枝鎖モノデカデシルナフチルスルホン酸またはジデカデシルナフチルスルホン酸からなる群から選択される、請求項１に記載のスピンドルモータ。
【請求項５】
請求項１から４のいずれかに記載の潤滑流体により分けられる作動面を有するハイドロベアリングを備える、スピンドルモータ。
【国際調査報告】
2013501135.tif 000016
2013501135.tif 000017
2013501135.tif 000018